【事件の表示】
　平成１１年特許願第３１２３１４号「インク容器およびそれを用いる印刷装置」拒絶査定不服審判事件〔平成１３年　７月１０日出願公開、特開２００１−１８７４５５〕について、次のとおり審決する。
【結　論】
　本件審判の請求は、成り立たない。
【理　由】
第１　手続の経緯　
　本願は、平成１１年１１月２日（優先権主張　平成１０年１１月２日、平成１０年１１月２６日、平成１０年１１月２６日、平成１１年１０月１８日）の出願であって、平成２０年９月１２日及び平成２１年４月２０日に手続補正がなされ、平成２１年４月２０日付け手続補正が同年１０月２８日付けで却下されるとともに、同日付けで拒絶査定がなされ、これに対して、平成２２年２月４日に拒絶査定不服審判が請求されるとともに同時に手続補正がなされたものである。
　なお、審判請求人は、当審における平成２２年６月１日付け審尋に対して同年８月５日付けで回答書を提出している。
　
第２　平成２２年２月４日付け手続補正についての補正却下の決定
　
〔補正却下の決定の結論〕
　平成２２年２月４日付け手続補正を却下する。
　
〔理由〕
１　本件補正の内容
（１）平成２２年２月４日付け手続補正（以下「本件補正」という。）は、特許請求の範囲についてするもので、本件補正前の請求項１、請求項２３、請求項３１に、
「　【請求項１】印刷装置に装着されるインク容器であって、
　印刷用インクを収容するインク収容部と、
　
少なくとも前記インク収容部内のインク量に関連する情報を含む所定情報
　前記記憶部はクロック信号に同期してシーケンシャルにアクセスされると共に、読み出し専用情報を記憶するための第１の記憶領域とその第１の記憶領域よりも
先に配置
前記所定情報
　前記第２の記憶領域は、前記印刷装置によって最初に書き込みされる領域に、
前記インク量に関連する情報
　前記第１の記憶領域は、前記インク容器に関する情報を記憶すると共に前記第２の記憶領域が備えるインク量情報記憶領域の記憶容量よりも大きな記憶容量を有するインク容器。
　　【請求項２３】　インクを収容すると共に、印刷装置本体に着脱されるインク容器と、該インク容器に収容されたインクを印刷ヘッドから媒体に向けて吐出して該媒体に対する印刷を行う印刷装置本体とを有するインクジェット印刷装置であって、
　前記インク容器は、記憶部および該記憶部と前記印刷装置本体との間で読み書きを行なう際にクロック信号に基づいてカウントアップあるいはカウントダウンを行なうアドレスカウンタを備えるシーケンシャルアクセス形式の記憶手段とを有し、
　該記憶手段は、前記記憶部として、前記印刷装置本体からの読み出しのみが行なわれる読み出し専用データを記憶する第１の記憶領域と、アクセス時に当該第１の記憶領域よりも先にアクセスされる領域において前記印刷装置本体との間で読み書きが行なわれる書き換えデータを記憶する第２の記憶領域とを備え、
　前記第２の記憶領域は、前記印刷装置本体によって最初に書き込みされる領域に、
前記インク容器のインク量に関連するデータ
　前記第１の記憶領域は、前記インク容器に関する
データ
　前記インクジェット印刷装置は、クロック信号に対応して読み書きするデータを入出力する手段を備えるインクジェット印刷装置。
　　【請求項３１】　印刷装置に装着されるインク容器に備えられる記憶装置であって、
　前記印刷装置から出力されるクロック信号に基づきカウント値を出力するアドレスカウンタと、
　出力された前記カウント値に基づいてシーケンシャルにアクセスされると共に複数の所定情報を読み書き可能にかつ不揮発的に記憶する複数の記憶領域を有する
記憶素子
　前記
記憶素子
とそ
先に配置
　前記第２の記憶領域
は、前
前記インク量に関連する情報
　前記第１の記憶領域は、前記インク容器に関する情報を記憶すると共に前記第２の記憶領域が備えるインク量情報記憶領域の記憶容量よりも大きな記憶容量を有する
インク容器に備えられる記憶装置。」とあったものを、それぞれ、
　
「　【請求項１】印刷装置に装着されるインク容器であって、
　印刷用インクを収容するインク収容部と、
　
少なくとも前記インク容器の累積されたインクの消費量の情報
　前記記憶部はクロック信号に同期してシーケンシャルにアクセスされると共に、読み出し専用情報を記憶するための第１の記憶領域とその第１の記憶領域よりも
先にアクセスされる位置に配置
前記少なくとも前記インク収容部内の累積されたインクの消費量の情報
　前記第２の記憶領域は、前記印刷装置によって最初に書き込みされる領域に、
前記インク消費量の情報
　前記第１の記憶領域は、前記インク容器に関する情報を記憶すると共に前記第２の記憶領域が備えるインク量情報記憶領域の記憶容量よりも大きな記憶容量を有する
インク容器。
　　【請求項４】　インクを収容すると共に、印刷装置本体に着脱されるインク容器と、該インク容器に収容されたインクを印刷ヘッドから媒体に向けて吐出して該媒体に対する印刷を行う印刷装置本体とを有するインクジェット印刷装置であって、
　前記インク容器は、記憶部および該記憶部と前記印刷装置本体との間で読み書きを行なう際にクロック信号に基づいてカウントアップあるいはカウントダウンを行なうアドレスカウンタとを備えるシーケンシャルアクセス形式の記憶手段とを有し、
　該記憶手段は、前記記憶部として、前記印刷装置本体からの読み出しのみが行なわれる読み出し専用データを記憶する第１の記憶領域と、アクセス時に当該第１の記憶領域よりも先にアクセスされる領域において前記印刷装置本体との間で読み書きが行なわれる書き換えデータを記憶する第２の記憶領域とを備え、
　前記第２の記憶領域は、前記印刷装置本体によって最初に書き込みされる領域に、
前記インク容器の累積されたインクの消費量の情報
　前記第１の記憶領域は、前記インク容器に関する
情報
　前記インクジェット印刷装置は、クロック信号に対応して読み書きするデータを入出力する手段を備えるインクジェット印刷装置。
　　【請求項８】　印刷装置に装着されるインク容器に備えられる記憶装置であって、
　前記印刷装置から出力されるクロック信号に基づきカウント値を出力するアドレスカウンタと、
　出力された前記カウント値に基づいてシーケンシャルにアクセスされると共に複数の所定情報を読み書き可能にかつ不揮発的に記憶する複数の記憶領域を有する
記憶部
　前記
記憶部
と前記カウント値に基づいてそ
先にアクセスされる位置に配置
　前記第２の記憶領域
は、前記アドレスカウンタの出力値により先にアクセスされるアドレスに配置される領域であり、かつ前
前記インク容器の累積されたインクの消費量の情報
　前記第１の記憶領域は、前記インク容器に関する情報を記憶すると共に前記第２の記憶領域が備えるインク量情報記憶領域の記憶容量よりも大きな記憶容量を有する
インク容器に備えられる記憶装置。」にして、新たな請求項１、請求項４、請求項８とする内容を含むものである（下線は審決で付した。以下同じ。）。
　
（２）本件補正後の請求項１、４、８に係る発明についての上記（１）の補正内容はそれぞれ次のアないしウの補正事項からなる。
　ア　本件補正後の請求項１についての補正内容
　本件補正前の請求項１に記載した発明を特定するために必要な事項である「少なくとも前記インク収容部内のインク量に関連する情報を含む所定情報」、「前記所定情報」及び「前記インク量に関連する情報」を、それぞれ、「少なくとも前記インク容器の累積されたインクの消費量の情報」、「前記少なくとも前記インク収容部内の累積されたインクの消費量の情報」及び「前記インク消費量の情報」として、「インク収容部内のインク量に関連する情報を含む所定情報」が「インク容器の累積されたインクの消費量の情報」であること限定し、本件補正前の請求項１に記載した発明を特定するために必要な事項である「第１の記憶領域よりも先に配置され」ることを「第１の記憶領域よりも先にアクセスされる位置に配置され」ることであるとして先に配置される位置を限定する。
　
　イ　本件補正後の請求項４についての補正内容
　本件補正前の請求項２３に記載した発明を特定するために必要な事項である「前記インク容器のインク量に関連するデータ」及び「前記インク容器に関するデータ」を、それぞれ、「前記インク容器の累積されたインクの消費量の情報」及び「前記インク容器に関する情報」として、「インク量に関連するデータ」が「累積されたインクの消費量の情報」であること限定する。
　
　ウ　本件補正後の請求項８についての補正内容
（ア）本件補正前の請求項３１に記載した発明を特定するために必要な事項である「『記憶装置』が『アドレスカウンタ』とともに備えている『記憶素子』（２箇所に記載されている。）」は、「記憶部」の明らかな誤記であるのでこれを訂正するとともに、本件補正前の請求項３１に記載した発明を特定するために必要な事項である「前記インク量に関連する情報」の明らかな誤記である「前記」を削除する。
（イ）本件補正前の請求項３１に記載した発明を特定するために必要な事項である「第２の記憶領域」について、「第１の記憶領域よりも先に配置され」を「前記カウント値に基づいてその第１の記憶領域よりも先にアクセスされる位置に配置され」とするとともに「前記アドレスカウンタの出力値により先にアクセスされるアドレスに配置される領域であ」るとの限定を付加して、先に配置される位置を限定する。
（ウ）本件補正前の請求項３１に記載した発明を特定するために必要な事項である「インク量に関連する情報」を「前記インク容器の累積されたインクの消費量の情報」として限定する。
　
２　本件補正の目的
（１）上記「１（２）ウ（ア）」の補正事項は、平成１４年法律第２４号改正附則第２条第１項によりなお従前の例によるとされる同法による改正前の特許法第１７条の２第４項第３号の「誤記の訂正」を目的とするものである。
　
（２）上記１（２）ア、イ、ウ（イ）及びウ（ウ）の補正事項は、本件補正前の請求項１に記載した発明を特定するために必要な事項を限定するものであるから、平成１４年法律第２４号改正附則第２条第１項によりなお従前の例によるとされる同法による改正前の特許法第１７条の２第４項第２号の「特許請求の範囲の減縮」を目的とするものである。
　そこで、本件補正後の請求項１に係る発明（以下「本願補正発明１」という。）、本件補正後の請求項４に係る発明（以下「本願補正発明２」という。）及び本件補正後の請求項８に係る発明（以下「本願補正発明３」という。）がそれぞれ特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下に検討する。
　
３　刊行物の記載
（１）原査定の拒絶の理由に引用された「本願の優先日前に頒布された刊行物である特開平２−２７９３４４号公報（以下「引用例１」という。）」には、次の事項が図とともに記載されている。
　ア　「［発明の技術分野］
　本発明はインクジェット印刷ヘッド等の印刷アッセンブリーに関し、さらに具体的には、かかるアッセンブリーをそれらを用いる印刷装置に特性化する技術に関する。」（１頁右下欄１３〜１７行）
　
　イ　「［発明の技術的背景及びその問題点］
　過去５０年間、インクジェット印刷は、技術的好奇心からオフィスオートメーションの大黒柱へと成熟してきた。近年の進歩によって、インクジェットプリンターはレーザープリンターに匹敵する印刷品質を生み出せるようになった。にもかかわらず、現状の最高の技術でさえ、ある種の欠点をもっている。
　一つの欠点はカラー印刷の分野にある。
インクジェットカラー印刷の
シアン、黄、マゼンタ、ときには黒色のインクの液滴を別個の印刷ヘッドから印刷媒体に向けて制御自在に排出するものである。しかし、かかる印刷方法では、印刷へッドから発生したインクの液滴が他の印刷ヘッドから発生したインクの液滴と所望の位置関係をもって印刷媒体に降下するよう、個々の印刷ヘッドの相対位置を精密に位置決めする必要がある
　
　ウ　「カラープリンターに関連する欠点として、長時間の複雑な印刷作業において、ある色のインクが悪いタイミングで切れてしまうということがある。複雑なカラー画像の印刷には数分間を要する場合がある。もし印刷を構成するインクの一つがなくなってしまうと、作業を中断しなければならず、消耗した印刷ヘッドを交換した後作業を再開することになる。これは単なる時間の浪費にとどまらず、中断された作業に用いられた他の色のインクの浪費でもある。
　消耗しかかっているインクジェット印刷ヘッドを可視表示しようとする試みがこれまでいくつがなされた。具体例としては、透明のインク室を持つインクジェット印刷ヘッドがある。しがし、不透明の材料を使うという製造上の配慮がしばしば必要とされる。」（２頁左下欄５〜２０行）
　
　エ　「［発明の目的］
　本発明は、従来のインクジェット印刷システムにおける以上の欠点またはその他の欠点を、印刷へッドを特性化するデータを記憶できる記憶素子を各印刷ヘッドに付随させて提供することによって解決することを目的とする。
［発明の概要］
　本データは印刷ヘッドの本性、あるいはその動作特性の一つまたはそれ以上を特性化することが可能である。このような動作特性には、印刷ヘッド内のインクの色、量、あるいは印刷ヘッド本体上のオリフィス板の位置などを含むことができる。このデータは印刷ヘッドから読み取ることができ、所望に応じて使用または表示できる。オリフィス板の位置を特性化するデータは、たとえば、ミスアラインメントを補償するために、オリフィス噴射用信号のうちのあるものを制御可能に早めるかあるいは遅らせるかするために使用できる。インクの色を特性化するデータは、プリンターがいかなる色の印刷ヘッドをも、いかなる印刷ヘッド受けにおいても受け入れ得るようにするのに使用することができる。インク量を特性化するデータは、印刷中のインクの使用状態を反映して更新され、消耗しかけているインクについてユーザーに警報を与えることができる。」（２頁右下欄８行〜３頁左上欄１２行）
　
　オ　「［発明の実施例］
　第１図乃至第３図は、
一つまたはそれ以上の印刷アッセンブリー１２、各印刷アッセンブリーに付随する記憶素子１４、プリンター回路１６、プリンター回路を記憶素子に接続するインターフェース１８を備えた
印刷装置１０
　図示した
印刷アッセンブリー１２は、ハウジング２０を備えたインクジェット印刷ヘッド、インク室２２、インク室と流体を連通ずる複数のオリフィス２６を有するオリフィス板２４、及びインクをオリフィスから噴出させるための複数の噴射用抵抗２８を備え
　印刷ヘッド１２の
ハウジングには、記憶素子１４が取りつけてあり、この記憶素子は、たとえば、磁性媒体片、半導体メモリー、レーザーによる書込み読取りの可能な光学媒体等によって構成され
このメモリーには印刷ヘッドに関するデータが記憶される。かかる情報は、印刷ヘッドの本性（製造日、製造場所、ロット番号、シリアル番号、その他）、あるいは印刷ヘッドのある種の動作特性（オリフィスのアライメント、インク色、インクの液位、動作周波数、インクの希釈度、その他）を特性化する。このデータは印刷ヘッドから読み取られ、所望に応じ使用または表示されうる
　第３図は本発明の一実施例において用いられる
プリンター回路１６
には、印刷するデータを記憶する通常のデータメモリ３６、このデータ
をインクジェット印刷ヘッド１２の個々の噴射用抵抗２８に必要な一連のタイミング・インパルスに変換する信号発生回路３８が含まれ
これらの信号は、駆動回路４０によって、噴射用抵抗を実際に駆動するのに要する電圧レベルに調整され
　
信号発生回路３８の出力には、印刷ヘッドが印刷するよう命令されているインク滴の数をカウントする監視回路４２が接続され
与えられた印刷作業の間に印刷ヘッドによって消費されるインクの量に直接関係している
印刷ヘッドのメモリー１４は、インク室に残っているインクの相対量を示すデータをもっていることが望ましい（このデータはまず製造過程でロードされ、インクの全充填値に一致するように設定される）。監視回路４２によって計測された数はこのデータの定期的更新に用いることができ
　図示した実施例では、この更新は
キャリッジ３４の通路近傍に取りつけられ印刷ヘッドがその位置を通過する都度印刷ヘッドの磁気片メモリー１４を読み書きする磁気読取／書込みヘッド４４によって
プリンター１０が電源投入される都度、
印刷ヘッドの磁気片メモリー上のインクの液位のデータが読みとられる
監視回路４２に付随する揮発性メモリー４６にロードされ
以降、プリンターが使用されると、監視回路は印刷ヘッドからのインクの噴出を反映して、このメモリー４６を減少していく。印刷ヘッドが読取／書込みヘッド４４を通過する都度、この減少された値はプリンター内部の揮発性メモリー４６から印刷ヘッドの磁気片１４に転送され、前の値を更新していく。このようにして、プリンターの揮発性メモリー４６は、印刷ヘッドに与えられる信号を監視することによって連続的に更新されて行く。印刷ヘッドの磁気片メモリー１４はメモリー４６からのデータ転送によって定期的（すなわち、読取／書込みヘッドを通過する都度）に更新される。プリンターの電源を落とすとメモリー４６のデータは消えるが、印刷ヘッドの磁気片メモリー上のデータは残り、プリンターの電源を次回投入する際に読み取られメモリー４６を再度初期化するのに使用される。印刷ヘッドをプリンターから外し他のプリンターに使用する場合、インクの残存量を示すデータは印刷ヘッドと共に新規のプリンターに移る
　監視回路４２には低電力インクインジケータ４８が接続されており、ここに図示されているのは発光ダイオードである。このインジケータは、印刷ヘッド内のインクの液位（メモリー４６に示される）がしきい値を下回ると作業者に信号を送る。この値は、たとえば、１ページをベタ刷りするのに要するインクの量に一致する値に設定してもよい。ユーザーに印刷ヘッドがインク切れ間近であることを警報することによって、複雑なカラー図形の印刷における問題や、完了前に一色のインクが切れてしまうといった問題を避けることができる。（
複数のインク室を持つカラー印刷ヘッドにおいては、各インクの液位に関するデータは磁気片１４に書くことができる。プリンター１０の監視回路４２は各色に必要な数だけ増設する
　
　カ　「どの場合も、印刷ヘッドの磁気片１４に記憶されたデータは、電源投入時磁気片が読取／書込みヘッド４４によって読まれるとき、その印刷ヘッドを使用しているプリンターによって使用されうる。」（４頁右下欄７〜１１行）
　
　キ　「本発明は印刷ヘッド上の磁気片メモリーに言及しつつ説明されてきたが、他の記憶素子も容易に採用されうる。…略…印刷ヘッドとプリンターの間のデータ通信は、
読取／書込みヘッド
プリンター内部に設けられた特定の電気回路
監視回路
回路は、
印刷ヘッドアッセンブリー自体の一部として用いることもできる
ＥＥＰＲＯＭ
　
　ク　上記アないしキの記載から、引用例１には、次の発明が記載されているものと認められる。
「シアン、黄、マゼンタ、ときには黒色のインクの液滴を別個の印刷ヘッドから印刷媒体に向けて制御自在に排出し、印刷ヘッドから発生したインクの液滴が他の印刷ヘッドから発生したインクの液滴と所望の位置関係をもって印刷媒体に降下するよう、個々の印刷ヘッドの相対位置を精密に位置決めする必要があるインクジェットカラー印刷の印刷装置１０において、
　一つまたはそれ以上の印刷アッセンブリー１２、各印刷アッセンブリーに付随する記憶素子１４、プリンター回路１６、プリンター回路１６を記憶素子１４に接続するインターフェース１８を備え、
　前記印刷アッセンブリー１２は、ハウジング２０を備えたインクジェット印刷ヘッド、インク室２２、インク室２２と流体を連通ずる複数のオリフィス２６を有するオリフィス板２４、及びインクをオリフィスから噴出させるための複数の噴射用抵抗２８を備え、
　前記ハウジング２０には、前記記憶素子１４が取りつけてあり、
　前記記憶素子１４は、たとえば、磁性媒体片、ＥＥＰＲＯＭなどの半導体メモリー、レーザーによる書込み読取りの可能な光学媒体等によって構成され、
　前記記憶素子１４のメモリーには印刷アッセンブリー１２に関するデータ、すなわち、製造日、製造場所、ロット番号、シリアル番号等の印刷アッセンブリー１２の本性を特性化する情報、あるいはオリフィスのアライメント、インク色、動作周波数、インクの希釈度等の印刷アッセンブリー１２のある種の動作特性を特性化する情報が記憶され、このデータは印刷アッセンブリー１２から読み取られ、所望に応じ使用または表示され得るものであり、
　前記プリンター回路１６には、印刷するデータを記憶する通常のデータメモリ３６、このデータを印刷アッセンブリー１２の個々の噴射用抵抗２８に必要な一連のタイミング・インパルスに変換する信号発生回路３８が含まれ、該信号発生回路３８の出力には、与えられた印刷作業の間に印刷アッセンブリー１２によって消費されるインクの量に直接関係している、印刷アッセンブリー１２が印刷するよう命令されているインク滴の数をカウントする監視回路４２が接続され、前記信号発生回路３８が一連のタイミング・インパルスに変換した信号は、駆動回路４０によって、噴射用抵抗２８を実際に駆動するのに要する電圧レベルに調整され、
　前記記憶素子１４は、インク室２２に残っているインクの相対量を示すデータをもっており、
　前記インクの相対量を示すデータは、まず製造過程でロードされてインクの全充填値に一致するように設定され、監視回路４２によって計測された数を用いることにより、キャリッジ３４の通路近傍に取りつけられ印刷アッセンブリー１２がその位置を通過する都度印刷アッセンブリー１２の記憶素子１４を読み書きする読取／書込みヘッド４４によって定期的に更新され、また、印刷装置１０が電源投入される都度、記憶素子１４上のインクの相対量を示すデータが読みとられ、監視回路４２に付随する揮発性メモリー４６にロードされ、以降、印刷装置１０が使用されると、監視回路４２は印刷アッセンブリー１２からのインクの噴出を反映して、揮発性メモリー４６の値を減少していき、印刷アッセンブリー１２が読取／書込みヘッド４４を通過する都度、この減少された値は印刷装置１０内部の揮発性メモリー４６から記憶素子１４に転送され前の値を更新し、このようにして、揮発性メモリー４６は、印刷アッセンブリー１２に与えられる信号を監視することによって連続的に更新されて行き、記憶素子１４は揮発性メモリー４６からのデータ転送によって定期的に、すなわち、読取／書込みヘッドを通過する都度、更新されるインクの残存量を示すデータであって、印刷装置１０の電源を落とすと揮発性メモリー４６のデータは消えるが、記憶素子１４上のデータは残り、印刷装置１０の電源を次回投入する際に読み取られ揮発性メモリー４６を再度初期化するのに使用され、印刷アッセンブリー１２を印刷装置１０から外し他の印刷装置１０に使用する場合、インクの残存量を示すデータは印刷アッセンブリー１２と共に新規の印刷装置１０に移るようになっており、
　複数のインク室２２を持つカラー印刷アッセンブリー１２においては、各インクの残存量を示すデータを記憶素子１４に書くことができ、印刷装置１０の監視回路４２は各色に必要な数だけ増設され、
　前記監視回路４２は印刷アッセンブリー１２自体の一部として用いることもできる、
　印刷アッセンブリー１２を備えた印刷装置１０。」（以下「引用発明１」という。）
　
（２）原査定の拒絶の理由に引用された「本願の優先日前に頒布された刊行物である特開平１０−２１７５０９号公報（以下「引用例２」という。）」には、次の事項が図とともに記載されている。
　ア　「【０００１】
【発明の属する技術分野】本発明は、交換可能な消耗部品を用いる装置に関し、特に、装置を動作させるために制御用プロセッサにより使用される使用状況データ、較正データ及びその他のデータを格納する一体化されたメモリを含む消耗部品に関する。
【０００２】
【従来の技術】今日の複写機、プリンタ、プロッタ等のほぼ全ては制御用マイクロプロセッサを備えており、かかるマイクロプロセッサは、高品質な文書作成を確実に行なうために入力較正データを必要とする。かかる装置の多くはユーザーによる消耗品の交換が可能であるため、使用状況データ、較正データその他のデータの入力を可能にするための様々な技術が開発されてきた。
【０００３】インクジェットプリンタでは、インク滴生成ドライバ周波数、インク圧及びインク滴充填値等の動作パラメータを格納するためのパラメータメモリをプリントヘッドに組み込むことが提案されている（Xerox　Disclosure　Journal、Volume8、No.6、November/December　1983、503頁のLonisによる「Storage　of　Operating　Parameters　in　Memory　Integral　with　Print　Head」を参照のこと）。「Ink　Jet　Apparatus　and　Ink　Jet　Cartridge　Therefor」と題するUjitaの米国特許第5,138,344号は、インクジェットプリンタの制御パラメータに関する情報を格納するための一体化された情報装置（例えば、抵抗要素、磁気媒体、バーコード、集積回路、又はＲＯＭ）を、インクを収容する交換可能なカートリッジに設けることが可能であることを示している。
【０００４】「Arrangement　for　Printer　Equipment　Monitoring　Reservoirs　that　ContainPrinting　Medium」と題するHillmann等の米国特許5,365,312号は、（インクジェットプリンタが使用するための）インク消費データを格納する、インク溜と一体化されたメモリデバイスの使用について説明している。「Ink　Supply　Identification　System　for　a　Printer」と題するヨーロッパ特許EP0720916号は、
インク源の種類とその充填レベルに関するデータを格納するために使用される一体化されたEEPROMを有する
【０００５】従来技術には、更に、電子写真式プリンタで用いるための一体的なメモリを有する消耗部品の使用について教示するものがある。「Copying　Apparatus　havinga　Consumable　Part」と題するYamaguchi等の米国特許第5,021,828号には、カートリッジ中のトナーの消費状態に関するデータを格納するためのメモリを有するトナーカートリッジが開示されている。Gilliland等の米国特許第4,961,088号、Hondaの米国特許第4,803,521号、Kurando等の米国特許第5,184,181号、及びLeSueur等の米国特許第5,272,503号には、電子写真式プリンタに使用する様々な交換可能なトナーカートリッジが説明されている。それぞれのカートリッジには、該カートリッジに関するパラメータデータを格納するためのメモリデバイスが内蔵されている。
【０００６】
【発明が解決しようとする課題】近年、インクジェットプリンタ及びレーザープリンタの動作及び制御機能は一層高度なものになってきている。例えば、かかるプリンタの多くは600ドット/インチ（dpi）というレベルの解像度を有し、これは、以前の300dpiというプリンタ生成解像度の２倍である。かかる高解像度では、それよりも低い解像度では見えなかった調整ミス(misadjustment)がはるかに見えやすくなる。更に、かかるプリンタは、現在では、媒体上でのグレースケール画像の生成に用いられており、付与されるインク/トナーの密度及び色調の精密な制御が必要になっている。
【０００７】したがって、プリンタの各種要素の機能の変化が相互に作用してプリント品質に影響を及ぼすことは知られているが、かかる相互作用の多くは低解像度プリンタでは無視できるものであった。しかしながら、最近のプリンタ設計の性能の向上と共に、高品質なプリント書類を確実に得るためにかかる相互作用を考慮してこれを補償しなければならなくなっている。
【０００８】したがって、本発明の目的は、プリンタ制御機能の調整能力が改善されたプリント装置を提供することにある。
【０００９】本発明の別の目的は、複数の消耗部品に含まれる現在のプリンタ性能パラメータに依存する制御パラメータを更新することのできる改善されたプリンタ制御システムを提供することにある。
【００１０】本発明の更に別の目的は、複数の消耗部品から読み出されたパラメータに応じたリアルタイムのプリント制御機能を組み込んだ改善されたインクジェットプリンタを提供することにある。
【００１１】
【課題を解決するための手段】プリンタは、消耗可能なマーキング媒体(marking　media)を収容する交換可能なカートリッジを有する。該カートリッジは、マーキング媒体のパラメータ等のプリンタに関するパラメータを記録するカートリッジメモリを有する。インクジェットヘッド等の交換可能なプリント装置は、該プリント装置に関するパラメータを記録するプリントヘッドメモリを有する。カートリッジメモリ及びプリントヘッドメモリにはプロセッサが接続され、該プロセッサは、両方のメモリから読み出されたパラメータに応じてプリンタ機能制御値を導出する。該値は、カートリッジメモリからの１つ又は２つ以上のマーキング媒体パラメータ、及びプリントヘッドメモリからの１つ又は２つ以上のパラメータに依存するものである。これによって、プロセッサは（インクジェットプリンタの場合には）、カートリッジメモリに格納された累積使用値及びプリントヘッドメモリに格納されたインク滴量パラメータから、現在のインク供給値を判定することができる。更に、プリントヘッドメモリに格納されたインク滴量パラメータは、媒体センサーによって検出された媒体のタイプに適応させるように調整することができる。
【００１２】
【発明の実施の形態】図１は、本発明を含むインクジェットプリンタ1を示す斜視図である。トレー2は、入力される紙その他のプリント媒体を保持する。
プリント動作が開始されると、シート紙が、プリンタ1中に供給され、次いでＵ字方向に出力トレー3へと送られる。該シート紙は、プリント領域4で停止され、複数の取り外し可能なカラープリントヘッド6を有する走査キャリッジ5が該シート上で走査されて一幅のインクがプリントされる。該プロセスは、シート紙全体がプリントされるまで繰り返され、該プリントの完了時に、該シート紙が出力トレー3へと排出される
【００１３】複数のプリントヘッド6は、シアン、マゼンタ、黄、及び黒のインクをそれぞれ収容する４つの取り外し可能なインクカートリッジ7に、それぞれ連通している。黒インクは、最も早く使い切られる傾向があるため、黒インクのカートリッジは他のインクより容量が大きくなっている。以下の説明から明らかになるが、各プリントヘッド及びインクカートリッジには、一体的なメモリデバイスが設けられており、該メモリデバイスは、プリント動作を制御するためにプリンタ1により使用されるデータを格納する。
【００１４】図２は、図１のインクジェットプリンタの構成要素を示すブロック図である。
インクジェットプリンタ1は、プラグ差込式のプリントヘッド12を有しており、該プリントヘッド12は、プリント要素14及び一体的に取り付けられたプリントヘッドメモリ16を有している。該プリントヘッド12は、相互接続部18を介してプリンタ1からプラグ式に取り外し可能なものである。また、インクカートリッジ20は、電気相互接続部22及び流体相互接続部24を介してプリンタ1からプラグ式に取り外し可能なものである。該インクカートリッジ20は、インク溜26及び一体式のカートリッジメモリ28を有する
【００１５】媒体検出器30は、挿入される媒体シート32を走査し、その特性から、プリントを行うべくプリントヘッド12に供給される媒体シートの特定のタイプを判定するように、配置されている。媒体シート32は、（例えば赤外線走査を介して）媒体検出器30にのみ見える表示その他の表示であって媒体のタイプを示す表示を備えることが可能である。
【００１６】
インクカートリッジ20、プリントヘッド12、
は、マイクロプロセッサ34と相互に接続され、
マイクロプロセッサ34は、各種プリンタのサブアセンブリを制御するための電子装置及びファームウェアを備えて
プリント制御用手続
カートリッジメモリ28及びプリントヘッドメモリ16からのデータの読み出しを発生させ、両メモリからアクセスされたデータに基づくパラメータの再計算に従ってプリンタ制御パラメータを調整する
【００１７】マイクロプロセッサ34にはホストプロセッサ36が接続され、該ホストプロセッサ36は、中央処理装置（ＣＰＵ）38及びソフトウェアプリンタドライバ40を備えている。該ホストプロセッサ36にはモニタ41が接続され、該モニタ41は、インクジェットプリンタ1の状態を示す様々なメッセージの表示に使用される。
【００１８】図３は、インクカートリッジ20の正面図であり、図４は、その側面図である。該インクカートリッジ20は、
インクジェットプリンタ1のレセプタクル
に差し込み可能なものであり、
インク溜26、液体接続部44、及び電気接続部46の配置を示している。電気接続部46は、カートリッジメモリチップ28との相互接続を可能にするものであ
【００１９】図５はまた、接続部46及びメモリチップ28の拡大図を示しており（下半分を参照のこと）、この場合、インクジェットカートリッジ20がインクジェットプリンタ１のレセプタクルにプラグ式に挿入された際に、該接続部46が、該レセプタクル内の嵌合接続部との接続を行う。
【００２０】図６は、プリントヘッド12を示す斜視図であり、該プリントヘッド12に対するプリントヘッドメモリ16の配置を示している。複数の接点48により、該プリントヘッドメモリ16並びにプリントヘッド12内の各種の電気的要素へのプラグ式の相互接続が可能となる。該プリントヘッド12は、周知の
熱作動型のインクジェットプリントヘッドであり、
【００２１】上述したように、カートリッジメモリ28及びプリントヘッドメモリ16により、マイクロプロセッサ34は、プリンタ1による高品質なプリント媒体出力の維持を可能とする制御値を計算することが可能となる。媒体検出器30からのデータは、プリント媒体の品質改善の点でも用いられる。プリンタパラメータの制御を行うために、
メモリ16,28は、それぞれ、工場書込データ(factory-written　data：工場で書き込まれるデータ)及びプリンタ記録データ(printer-recorded　data：プリンタにより記録されるデータ)の両方を含む
格納され
【００２２】
カートリッジメモリ28
工場書込データ：
製品タグ
インク源サイズ
カラーマップ係数
インク側色値(colorimetry)
カラーコード
乾燥時間係数
プリンタドライバレビジョン番号
プリンタドライバレビジョンパラメータ
再注文部品番号
製造日
製造年
更新日（ｆｒｅｓｈｎｅｓｓ　ｄａｔｅ）
インク保存寿命（ｉｎｋ　ｓｈｅｌｆ　ｌｉｆｅ）
シリアル番号
プリントモード係数
インクのガス放出率データ
プリンタ記録データ：
粗カウント値
細密カウント値
最初の挿入日
最終使用日
使用時間
プリントヘッドメモリ16
工場記録データ：
製品タグ
インク滴量測定値
インク滴量係数
製造年
製造日
更新日(freshness　date)
温度検出抵抗器の較正データ
プリントヘッドアラインメント係数
射出エネルギーパラメータ
プリントモード係数
再注文部品番号
ドライババージョン番号
プリンタ記録データ：
射出インク滴数
最初の挿入日
最終使用日
使用時間
プリントページ数
後に明らかになるが、プリント制御手続35は、メモリ16,28に格納された上述のパラメータを用いて、インクジェットプリンタ1からの媒体出力の動作及びプリント品質を制御する。多くの場合、両方のメモリ16,28からのデータを用いて改善された制御パラメータが得られることになる。更に、主たる支持体（例えばプリントヘッド12又はインクカートリッジ20）を交換する際にメモリ16,28を定期的に交換することが可能であるため、製造者が、既にプリンタを設置している顧客に対し、更新されたパラメータを継続的に提供することができる。
【００２３】次に図７を参照して、
プリント制御手続35に組み込まれたサブ手続
サブ手続は、プリントヘッドメモリ16及びカートリッジメモリ28の両方からのデータを使用し
【００２４】カートリッジメモリ28に格納された
細密カウント値52は、（例えば）８ビットの書き換え可能な値であり、その各ビットは、インクカートリッジ20の総供給量の12.5％の1/256に相当する。細密カウントビット値を「フリップさせる(flip)」ときを計算するために、プリント制御手続35は、（プリントヘッドメモリ16上にエンコードされた）インク滴量パラメータ54と（カートリッジメモリ28上にエンコードされた）インク供給量値56との両方を読み出す。次いで、プリント制御手続35は、細密カウントを１ビットフリップさせるのに必要なインク滴の数（即ち、総インク供給量の12.5％の1/256に等しい量）を計算する。次いで、加熱抵抗器に供給される（射出されたインク滴の累積数を示す）入力信号をカウントすることによって、プリント制御手続35は、細密カウント値52をインクリメントさせるときを知る
【００２５】インクカートリッジ20が最初に挿入されたとき、プリント制御手続35は、製造日/年データ58を読み出してインクカートリッジ20の寿命を判定する。その後、推定蒸発値を考慮して細密カウントエントリ52の値が調整される。
【００２６】カートリッジメモリ28における
粗カウント値60は、インクカートリッジ20内のインクの12.5％が消費されるたびにインクリメントされる。粗カウント値60は、細密カウント値52が「一巡する(roll　over)」たびにインクリメントされる。後に明らかになるが、細密カウント値52及び粗カウント値60は両方とも、インクカートリッジ20内のインク残量の判定に用いられる
【００２７】図７に示すように、
インク滴使用量計算サブ手続70
細密カウント値52が、現在のインク使用状態を反映するようにインクリメントされ、該カウント値の「一巡」が検出された場合に、粗カウント値60もインクリメントされる。これらの計算はプリント実行時に行なわれ、細密カウント値52及び粗カウント値60は、プリントヘッド12から射出されたインクの量を反映するようにインクリメントされる。インク滴使用量計算サブ手続70によって新たな細密カウント値52及び粗カウント値60が求められると、かかる値が、データライン74を介してカートリッジメモリ28に再書き込みされる
【００２８】インク供給カートリッジのサイズが変動し得るため、この計算には、インク滴量パラメータ54及び初期インク源サイズパラメータ56の両方が用いられる。
【００２９】プリントヘッド12の老朽化と共に発生するインク滴量の変化に対応するために、インク滴量パラメータ更新サブ手続75が定期的に実行される。該インク滴量パラメータ更新サブ手続74は、まずプリントヘッドメモリ16のインク滴量パラメータ54にアクセスする。次いで、累積使用量データを用いてプリントヘッドの状態を推定する。この累積使用量値は、現在のインクカートリッジ20の細密カウント値52及び粗カウント値60と、交換済みのインクカートリッジの過去の細密カウント値及び粗カウント値とを用いて計算される。該データは、プリントヘッドメモリ16に
累積「射出インク滴数」値76として累積され
【００３０】Vcalc=Vmeas+ΔVtrans+ΔVtime+ΔV#drops+ΔV(T)+ΔV(f)
ΔVtime=k1t+k2t２+...
ΔV#drops=clN+c2N２+...
ΔV(T)=b1T+b2T２+...
ΔV(f)=d1f+d2f２+...
ここで、
Vcalc＝インク滴量の計算値
Vmeas＝工場で測定されたインク滴量
ΔVtrans＝（表面の濡れ又は焼付に起因する）インク滴量の過渡変化
ΔVtime＝インク滴に対する時間（長期間）の影響
k1,k2,...＝定数
t＝プリントヘッドの製造時からの経過時間
注）上記定数はプリントヘッドの工場で決定されエンコードされるものであり、時間tは、プリンタがコンピュータの時計をプリントヘッド上の日付コードと比較することにより計算される。
【００３１】ΔV#drops＝インク滴量に対する射出の影響（長期間にわたる抵抗器への堆積）
c1,c2,...＝定数
N＝プリントヘッドが製造されてから射出されたインク滴の数
ΔV(T)＝温度による影響
b1,b2,...＝定数
T＝プリントヘッドの温度。これは、該温度をTSR（温度検出抵抗器）に相関づける式から計算され、即ち、該TSRがシステムにより監視されてヘッド温度が推定される。
【００３２】ΔV(f)　＝射出周波数による影響
d1,d2,...＝定数
である。
【００３３】注）Vtrans、k1、k2、d1、d2、c1、c2、b1、b2は工場で記録される。tはプリンタにより（コンピュータの時計をインクカートリッジメモリに記録された日付コードと比較することにより）プリントヘッドメモリチップに記録される。Nはプリンタによりカートリッジメモリチップに記録される。」
　
　イ　図２の記載から、プリンタ１０はマイクロプロセッサ３４を有し、該マイクロプロセッサ３４はプリンタ電子回路（電子装置）及びファームウエアとともにプリント制御用手続３５も備えていることが見て取れる。
　
　ウ　上記ア及びイの記載から、引用例２には、次の発明が記載されているものと認められる。
「プリント動作が開始されると、シート紙を供給し、次いでＵ字方向に出力トレー3へと送り、プリント領域4で停止させ、複数の取り外し可能なプリントヘッド6を有する走査キャリッジ5を該シート上で走査して一幅のインクをプリントするプロセスを、シート紙全体がプリントされるまで繰り返し、該プリントの完了時に、該シート紙を出力トレー3へと排出するものであり、かつ、プリントヘッド12、インクカートリッジ20及びマイクロプロセッサ34を有し、前記インクカートリッジ20及び前記プリントヘッド12は前記マイクロプロセッサ34と相互に接続されているインクジェットプリンタであって、
　前記プリントヘッド12は、熱作動型のインクジェットプリントヘッドであり、プリント要素14及び一体的に取り付けられたプリントヘッドメモリ16を有しており、インクジェットプリンタからプラグ式に取り外し可能なものであり、
　前記インクカートリッジ20は、インクジェットプリンタのレセプタクルに差し込み可能なものであり、インク溜26と、該インク溜26のインク源の種類とその充填レベルに関するデータを格納するために使用される一体化されたEEPROMなどのカートリッジメモリチップとを有しており、インクジェットプリンタからプラグ式に取り外し可能なものであり、さらに、液体接続部44及び電気接続部46も有しており、該電気接続部46は、前記カートリッジメモリチップとの相互接続を可能にするものであり、
　前記マイクロプロセッサ34は、プリンタのサブアセンブリを制御するための電子装置及びファームウェアを備え、さらに、カートリッジメモリチップのメモリすなわちカートリッジメモリ28及びプリントヘッドメモリ16からのデータの読み出し、両メモリにアクセスして得たデータに基づいて行ったパラメータの再計算に従ってプリンタ制御パラメータを調整するプリント制御用手続35も備えており、
　前記プリントヘッドメモリ16及びカートリッジメモリ28には、それぞれ、工場で書き込まれる工場書込データ及びプリンタにより記録されるプリンタ記録データの両方が格納され、
　前記カートリッジメモリ28の工場書込データには、製品タグ、インク源サイズ、カラーマップ係数、インク側色値、カラーコード、乾燥時間係数、プリンタドライバレビジョン番号、プリンタドライバレビジョンパラメータ、再注文部品番号、製造日、製造年、更新日、インク保存寿命、シリアル番号、プリントモード係数及びインクのガス放出率データが含まれており、
　前記カートリッジメモリ28のプリンタ記録データには、粗カウント値、細密カウント値、最初の挿入日、最終使用日及び使用時間が含まれており、
　前記細密カウント値52は、例えば８ビットの書き換え可能な値であり、その各ビットは、インクカートリッジ20の総供給量の12.5％の1/256に相当し、
　前記粗カウント値60は、前記インクカートリッジ20内のインクの12.5％が消費されるたびに、すなわち細密カウント値52が一巡するたびにインクリメントされ、前記細密カウント値52とともに前記インクカートリッジ20内のインク残量の判定に用いられ、
　前記プリント制御用手続35に組み込まれたインク滴使用量計算サブ手続70は、前記プリントヘッドメモリ16及び前記カートリッジメモリ28の両方からのデータを使用し、前記プリントヘッドメモリ16上にエンコードされたインク滴量パラメータ54と前記カートリッジメモリ28上にエンコードされたインク供給量値56との両方を読み出し、次いで、細密カウントを１ビットフリップさせるのに必要なインク滴の数、即ち、総インク供給量の12.5％の1/256に等しい量を計算し、次いで、加熱抵抗器に供給される入力信号、すなわち射出されたインク滴の累積数を示す入力信号をカウントすることによって、前記細密カウント値52をインクリメントさせるときを知り、前記細密カウントビット値をフリップさせて細密カウント値52が現在のインク使用状態を反映するようにインクリメントし、該細密カウント値の一巡が検出された場合に前記粗カウント値60もインクリメントし、これらの計算をプリント実行時に行ない、前記細密カウント値52及び前記粗カウント値60を、前記プリントヘッド12から射出されたインクの量を反映するようにインクリメントして新たな細密カウント値52及び粗カウント値60を求めると、かかる値を累積射出インク滴数値76として累積し前記カートリッジメモリ28に再書き込みするようになっているインクジェットプリンタ。」（以下「引用発明２」という。）
　
４　本願補正発明１について
（１）引用発明１との対比・判断
　ア　対比
　本願補正発明１と引用発明１とを対比する。
（ア）引用発明１の「印刷装置１０」、「インク」、「インク室２２」、「消費されるインクの量」及び「与えられた印刷作業の間に印刷アッセンブリー１２によって消費されるインクの量に直接関係している、印刷アッセンブリー１２が印刷するよう命令されているインク滴の数」は、それぞれ、本願補正発明１の「印刷装置」、「印刷用インク」、「印刷用インクを収容するインク収容部」、「インクの消費量」及び「インクの消費量の情報」に相当する。
　
（イ）引用発明１の「印刷アッセンブリー１２」は、「印刷用インクを収容するインク収容部（インク室２２）」を備えているから、本願補正発明１の「インク容器」に相当するといえる。
　
（ウ）引用発明１において、「各印刷アッセンブリーに付随する記憶素子１４」は、たとえば、磁性媒体片、ＥＥＰＲＯＭなどの半導体メモリー、レーザーによる書込み読取りの可能な光学媒体等によって構成され、そのメモリーに「印刷アッセンブリー１２に関するデータ」を記憶するものであり、記憶素子１４上のこのデータは、印刷アッセンブリー１２から読み取られるものであり、かつ、印刷装置１０の電源を落としても、消えずに残るものであるから、引用発明１の「記憶素子１４のメモリー」は、本願補正発明１の「読み書き可能且つ不揮発的に記憶する記憶部」に相当する。
　
（エ）引用発明１の「インク容器（印刷アッセンブリー１２）」は、「印刷装置（印刷装置１０）」から外し他の「印刷装置」に使用することができるものであるから、本願補正発明１の「インク容器」と、「印刷装置に装着される」ものである点で一致する。
　
（オ）引用発明１において、
　監視回路４２は、「インクの消費量の情報（与えられた印刷作業の間にインク容器によるインクの消費量に直接関係している、インク容器が印刷するよう命令されているインク滴の数）」をカウントするものであり、
　「記憶部（記憶素子１４のメモリー）」には、「インク容器（印刷アッセンブリー１２）」に関するデータ、すなわち、製造日、製造場所、ロット番号、シリアル番号等の「インク容器」の本性を特性化する情報、あるいはオリフィスのアライメント、「印刷用インク（インク）」色、「印刷用インク」の液位、動作周波数、「印刷用インク」の希釈度等の「インク容器」のある種の動作特性を特性化する情報が記憶されるのであり、
　「記憶部（記憶素子１４）」は、インク室２２に残っているインクの相対量を示すデータをもっており、
　この「インクの相対量を示すデータ」は、まず製造過程でロードされてインクの全充填値に一致するように設定され、監視回路４２によって計測された数、すなわち「インクの消費量の情報」を用いることにより定期的に更新されるものであり、さらに、印刷装置１０が電源投入される都度「記憶部」から読みとられて揮発性メモリー４６にロードされ、以降、「インク容器」からのインクの噴出を反映して、揮発性メモリー４６の値は減少していき、この減少された値が「記憶部」に転送され、前の値が定期的に更新されるインクの残存量を示すデータであるから、
　引用発明１の「インクの相対量を示すデータ」は、「インクの残存量を示すデータ」であって、「インクの全充填値」から「インクの消費量の情報」を用いることによりインクの噴出を反映して減少され更新される値であるといえる。
　してみると、引用発明１の「インクの相対量を示すデータ」と本願補正発明１の「少なくとも前記インク容器の累積されたインクの消費量の情報」とは「少なくとも前記インク容器の累積されたインクの消費量に関係する情報」である点で一致するといえ、引用発明１の「記憶部」と本願補正発明１の「記憶部」とは、上記（エ）に照らせば、「少なくとも前記インク容器の累積されたインクの消費量に関係する情報を読み書き可能且つ不揮発的に記憶する」点で一致する。
　そして、上記「インク容器に関するデータ」のうち、少なくとも「製造日、製造場所、ロット番号、シリアル番号、オリフィスのアライメント、印刷用インク色、動作周波数、印刷用インクの希釈度」は、まず製造過程でロードされた後は読み出されるのみで書き込んで更新されることがない情報であると解されるから、本願補正発明１の「インク容器に関する情報」かつ「読み出し専用情報」に相当する。
　したがって、引用発明１の「記憶部」と本願補正発明１の「記憶部」とは、「読み出し専用情報を記憶するための第１の記憶領域と前記少なくとも前記インク収容部内の累積されたインクの消費量に関係する情報を記憶するための第２の記憶領域とを備え、前記第２の記憶領域は、前記インク消費量に関係する情報を記憶するインク量に関係する情報記憶領域を備え、前記第１の記憶領域は、前記インク容器に関する情報を記憶する」点で一致するといえる。
　
（カ）上記（ア）ないし（オ）によれば、本願補正発明１と引用発明１とは、
「印刷装置に装着されるインク容器であって、
　印刷用インクを収容するインク収容部と、
　少なくとも前記インク容器の累積されたインクの消費量に関係する情報を読み書き可能且つ不揮発的に記憶する記憶部とを備えると共に、
　前記記憶部は読み出し専用情報を記憶するための第１の記憶領域と前記少なくとも前記インク収容部内の累積されたインクの消費量に関係する情報を記憶するための第２の記憶領域とを備え、前記第２の記憶領域は、前記インク消費量に関係する情報を記憶するインク量に関係する情報記憶領域を備え、前記第１の記憶領域は、前記インク容器に関する情報を記憶する
インク容器。」である点で一致し、次の点で相違する。
　
相違点１：
　本願補正発明１では、前記記憶部が「クロック信号に同期してシーケンシャルにアクセスされる」ようになっており、第２の記憶領域が第１の記憶領域よりも「先にアクセスされる位置に配置」されており、前記「インク量に関係する情報記憶領域」は「前記印刷装置によって最初に書き込みされる領域」であり、前記第１の記憶領域の記憶容量が前記「インク量に関係する情報記憶領域」の記憶容量よりも「大きな」ものであり、前記「インクの消費量に関係する情報」が「インクの消費量の情報」であり、前記「インク量に関係する情報記憶領域」が「インク量情報記憶領域」であるのに対して、
　引用発明１では、前記記憶部のアクセス方式もアクセスの順番も、第１の記憶領域やインク量に関係する情報記憶領域の記憶容量の大きさも明らかでなく、前記「インクの消費量に関係する情報」は「インクの全充填値からインクの消費量の情報を用いることによりインクの噴出を反映して減少され更新される値であるインクの残存量を示すデータ」であり、前記「インク量に関係する情報記憶領域」は「インクの相対量を示すデータを記録する領域」である点。
　
　イ　判断
　上記相違点１について検討する。
（ア）印刷装置に装着されるカートリッジに備えてあるメモリにインク滴のカウント値などのインクの消費量の情報を記憶させることは本願の優先日前に周知である（以下「周知技術１」という。例．引用例２（【００２７】参照。）、特開平９−３０９２１３号公報（【００３１】参照。）、特開平６−１２６９８１号公報（【００２７】参照。））。
　
（イ）アドレスカウンタを備え、該アドレスカウンタのカウン値でアドレスが指定されて順次アクセスされるようになっているＥＥＰＲＯＭなどの不揮発性記憶装置は本願の優先日前に周知である（以下「周知技術２」という。例．特開平４−１３７０８４号公報（４頁左下欄１４行〜５頁右上欄１８行参照。）、特開平８−１７７６０８号公報（【０００６】、【００２４】〜【００２６】参照。）、特開平９−１１４７９９号公報（【０００８】参照。）、国際公開第９８／３１００６号（２０頁８〜１８行参照。））。
　
（ウ）累積値などの装置の使用状態を示すデータを一旦ＲＡＭに書き込んでいき、必要に応じてあるいは定期的に、書き込み可能回数に５万回等の上限があるＥＥＰＲＯＭなどの不揮発性メモリに書き込むようにしている装置では、停電やコンセント抜けなどの電源異常の場合、あるいは間違って電源がＯＦＦされた場合には、直ちに不揮発性メモリへ書き込む書込処理を行い、メモリ書き込みに必要な電圧がコンデンサーなどで維持されている時間（１００ｍｓないし３００ｍｓ）内に書込処理を完了しなければならないことは、本願の優先日前に周知である（以下「周知技術３」という。例．特開平１０−１８５９６５号公報（【０００１】〜【０００７】及び【００４２】〜【００４９】参照。）、特開平９−２９７７１５号公報（【０００２】〜【０００５】、「揮発メモリ上に存するデータ（【０００８】）」、「ＲＡＭに一時留保される（【００２２】）」参照。）、特開平９−２８２８９４号公報（【０００２】〜【０００３】、【００１１】及び【００１７】参照。）。
　
（エ）順次アクセスされるようになっている記憶装置の記憶部にデータなどの情報を記憶させる際に、頻繁にアクセスする情報（上記特開平８−１７７６０８号公報の【００１７】に記載の「使用頻度の高い」情報や特開平１０−１０５６６１号公報の【０１７７】に記載の「頻繁に書込処理を行うデータ」参照。）を、そうでもない情報（上記特開平８−１７７６０８号公報の【００１８】に記載の「使用頻度は低い」情報参照。）よりも先にアクセスされるアドレスに配置（上記特開平１０−１０５６６１号公報の【０１７７】に記載の「論理ブロック番号を、より小さい番号にする」との記載参照。）すれば、そうでもない情報よりも後にアクセスされるアドレスに配置するよりも、より効率的であることは、当業者に自明の事項である。
　
（オ）シーケンシャルアクセスされる場合に、領域の最後の方の情報はアクセスに時間がかかることは、当業者に自明の事項である（国際公開第９７／３２２５３号の２３頁２０〜２２行の「シーケンシャルアクセスする…略…ため…略…領域の最後の方の情報はアクセスに時間がかかる」との記載参照。）。
　
（カ）上記（ア）ないし（オ）からして、引用発明１において、前記記憶部を、アドレスカウンタを備え、該アドレスカウンタのカウン値でアドレスが指定されて順次アクセスされるようになっているＥＥＰＲＯＭなどの不揮発性記憶装置の記憶部となし、該記憶部に記憶する「インクの消費量に関係する情報」を前記「消費されるインクの量に直接関係している、印刷アッセンブリー１２が印刷するよう命令されているインク滴の数のカウント値」となし、該「インク滴の数のカウント値」の情報を一旦前記「揮発性メモリー４６」に書き込んでいき、定期的に、あるいは停電やコンセント抜けなどの電源異常の場合や間違って電源がＯＦＦされた場合に直ちに、上記不揮発性記憶装置の記憶部に書き込むようにし、かつ、定期的な書込処理における毎回のシーケンシャルアクセスに余計な時間がかかることがないようにして書込処理を効率的にするため、あるいは、停電やコンセント抜けなどの電源異常の場合や間違って電源がＯＦＦされた場合に直ちに行う書込処理を１００ｍｓないし３００ｍｓの間に完了できるようにするために、上記不揮発性記憶装置の記憶部の全領域を、より先にアクセスされアクセスに時間がかからない前方領域とアクセスに時間がかかる最後の方を含む後方領域とに区分したとき、前記前方領域の最初にアクセスされる位置に前記「インク滴の数のカウント値の情報」の記憶領域を設け、その他の定期的に書込処理が行われる情報等頻繁にアクセスされる情報や短時間で書込処理を完了しなければならない情報があれば、それらの情報の記憶領域を前記前方領域のその他の領域にアクセスに時間がかからない範囲で確保し、前記後方領域に、前記「インク容器に関する情報（製造日、製造場所、ロット番号、シリアル番号、オリフィスのアライメント、印刷用インク色、動作周波数、印刷用インクの希釈度）」などの、そうでもない情報の記録領域やそれ以外の情報の記憶領域を確保するようになすことは、当業者が周知技術１、周知技術２及び周知技術３に基づいて容易に想到することができた程度のことである。
　そして、上記「アドレスカウンタのカウン値でアドレスが指定されて順次アクセスされるようになっているＥＥＰＲＯＭなどの不揮発性記憶装置の記憶部」、「後方領域」、「前方領域」、「インク滴の数のカウント値の情報」及び「インク滴の数のカウント値の情報の記憶領域」が、それぞれ、本願補正発明１の「『クロック信号に同期してシーケンシャルにアクセス』される『読み書き可能且つ不揮発的に記憶する記憶部』」、「第１の記憶領域」、「第２の記憶領域」、「インクの消費量の情報」及び「インク量情報記憶領域」に相当する。
　
（キ）上記（カ）で検討した、引用発明１の「インク滴の数のカウント値の情報」やその他の定期的に書込処理が行われる情報や頻繁にアクセスされる情報や短時間で書込処理を完了しなければならない情報の量は、ＥＥＰＲＯＭなどの不揮発性記憶装置の記憶部の全領域の容量の２分の１に比べてもほんの小さい領域で記憶できる量にすぎないものと解され、これが仮に全領域の容量の２分の１と同じほどの領域でないと記憶できないような大量の情報であったとしたら、上記（カ）のとおり、前記前方領域に記憶するその他の情報をアクセスに時間がかからない範囲に絞ることになるとともに、上記「インク滴の数のカウント値の情報」を記憶するのに必要な記憶容量は、明らかに前記「第２の記憶領域（前方領域）」の記憶容量以下であるから、引用発明１において、上記（カ）のとおりになした結果、前記「インク容器（印刷アッセンブリー１２）」は、本願補正発明１の「少なくとも前記インク容器の累積されたインクの消費量の情報を読み書き可能且つ不揮発的に記憶する記憶部とを備えると共に、前記記憶部はクロック信号に同期してシーケンシャルにアクセスされると共に、読み出し専用情報を記憶するための第１の記憶領域とその第１の記憶領域よりも先にアクセスされる位置に配置され且つ前記少なくとも前記インク収容部内の累積されたインクの消費量の情報を記憶するための第２の記憶領域とを備え、前記第２の記憶領域は、前記印刷装置によって最初に書き込みされる領域に、前記インク消費量の情報を記憶するインク量情報記憶領域を備え、前記第１の記憶領域は、前記インク容器に関する情報を記憶すると共に前記第２の記憶領域が備えるインク量情報記憶領域の記憶容量よりも大きな記憶容量を有する」との構成を備えたものとなる。
　
（ク）したがって、引用発明１において、上記相違点１に係る本願補正発明１の構成となすことは、当業者が周知技術１、周知技術２及び周知技術３に基づいて容易に発明をすることができた程度のことである。
　
（ケ）本願補正発明１の奏する効果は、引用発明１の奏する効果、周知技術１の奏する効果、周知技術２の奏する効果及び周知技術３の奏する効果から、当業者が予測できた程度のものである。
　
（コ）以上のとおりであるから、本願補正発明１は、当業者が引用例１に記載された発明、周知技術１、周知技術２及び周知技術３に基づいて容易に発明をすることができたものである。
　
（２）引用発明２との対比・判断
　ア　対比
　本願補正発明１と引用発明２とを対比する。
（ア）引用発明２の「インクカートリッジ20」、「インクジェットプリンタ」、「インク」、「インク溜26」、「『一体化されたEEPROMなどのカートリッジメモリチップ』の『メモリすなわちカートリッジメモリ28』」、「工場で書き込まれる工場書込データ」、「プリントヘッド12から射出されたインクの量」、「累積射出インク滴数値76」及び「製品タグ、インク源サイズ、カラーマップ係数、インク側色値、カラーコード、乾燥時間係数、プリンタドライバレビジョン番号、プリンタドライバレビジョンパラメータ、再注文部品番号、製造日、製造年、更新日、インク保存寿命、シリアル番号、プリントモード係数及びインクのガス放出率データ」は、それぞれ、本願補正発明１の「インク容器」、「印刷装置」、「印刷用インク」、「印刷用インクを収容するインク収容部」、「読み書き可能且つ不揮発的に記憶する記憶部」、「読み出し専用情報」、「インクの消費量」、「インク収容部内の累積されたインクの消費量の情報」及び「インク容器に関する情報」に相当する。
　
（イ）引用発明２の「インク容器（インクカートリッジ20）」は、「印刷装置（インクジェットプリンタ）」のレセプタクルに差し込み可能なものであるから、本願補正発明１の「インク容器」と「印刷装置に装着される」ものである点で一致する。
　
（ウ）引用発明２の「インク容器（インクカートリッジ20）」は、「印刷用インクを収容するインク収容部（インク溜26）」と、該「インク収容部」のインク源の種類とその充填レベルに関するデータを格納するために使用される「読み書き可能且つ不揮発的に記憶する記憶部（一体化されたEEPROMなどのカートリッジメモリ28）」とを有し、前記「記憶部」には「インク収容部内の累積されたインクの消費量の情報（累積射出インク滴数値76）」が再書き込みされるから、本願補正発明１の「インク容器」と、「印刷用インクを収容するインク収容部と、少なくとも前記インク容器の累積されたインクの消費量の情報を読み書き可能且つ不揮発的に記憶する記憶部とを備える」点で一致する。
　
（エ）引用発明２において、前記プリントヘッドメモリ16及び「記憶部（カートリッジメモリ28）」には、それぞれ、「読み出し専用情報（工場で書き込まれる工場書込データ）」及び「印刷装置（プリンタ）」により記録されるプリンタ記録データの両方が格納され、前記「記憶部」の「読み出し専用情報」には、「インク容器に関する情報（製品タグ、インク源サイズ、カラーマップ係数、インク側色値、カラーコード、乾燥時間係数、プリンタドライバレビジョン番号、プリンタドライバレビジョンパラメータ、再注文部品番号、製造日、製造年、更新日、インク保存寿命、シリアル番号、プリントモード係数及びインクのガス放出率データ）」が含まれており、前記「記憶部」のプリンタ記録データには、粗カウント値、細密カウント値、最初の挿入日、最終使用日及び使用時間が含まれており、前記細密カウント値52は、例えば８ビットの書き換え可能な値であり、その各ビットは、インクカートリッジ20の総供給量の12.5％の1/256に相当し、前記粗カウント値60は、前記インクカートリッジ20内のインクの12.5％が消費されるたびに、すなわち細密カウント値52が一巡するたびにインクリメントされ、前記細密カウント値52とともに前記インクカートリッジ20内のインク残量の判定に用いられ、前記プリント制御用手続35に組み込まれたインク滴使用量計算サブ手続70は、前記プリントヘッドメモリ16及び前記「記憶部」の両方からのデータを使用し、前記プリントヘッドメモリ16上にエンコードされたインク滴量パラメータ54と前記「記憶部」上にエンコードされたインク供給量値56との両方を読み出し、次いで、細密カウントを１ビットフリップさせるのに必要なインク滴の数、即ち、総インク供給量の12.5％の1/256に等しい量を計算し、次いで、加熱抵抗器に供給される入力信号、すなわち射出されたインク滴の累積数を示す入力信号をカウントすることによって、前記細密カウント値52をインクリメントさせるときを知り、前記細密カウントビット値をフリップさせて細密カウント値52が現在のインク使用状態を反映するようにインクリメントし、該細密カウント値の一巡が検出された場合に前記粗カウント値60もインクリメントし、これらの計算をプリント実行時に行ない、前記細密カウント値52及び前記粗カウント値60を、「インクの消費量（前記プリントヘッド12から射出されたインクの量）」を反映するようにインクリメントして新たな細密カウント値52及び粗カウント値60を求めると、かかる値を「インク収容部内の累積されたインクの消費量の情報（累積射出インク滴数値76）」として累積し前記カートリッジメモリ28に再書き込みするようになっているから、引用発明２の「記憶部」と本願補正発明１の「『クロック信号に同期してシーケンシャルにアクセスされる』と共に、『読み出し専用情報を記憶するための第１の記憶領域』と『その第１の記憶領域よりも先にアクセスされる位置に配置』され且つ『前記少なくとも前記インク収容部内の累積されたインクの消費量の情報を記憶するための第２の記憶領域』とを備え、前記第２の記憶領域は、『前記印刷装置によって最初に書き込みされる領域』に、『前記インク消費量の情報を記憶するインク量情報記憶領域』を備え、前記第１の記憶領域は、『前記インク容器に関する情報を記憶』すると共に『前記第２の記憶領域が備えるインク量情報記憶領域の記憶容量よりも大きな』記憶容量を有する、『記憶部』」とは、「『読み出し専用情報を記憶するための第１の記憶領域』と『前記少なくとも前記インク収容部内の累積されたインクの消費量の情報を記憶するための第２の記憶領域』とを備え、前記第２の記憶領域は、『前記インク消費量の情報を記憶するインク量情報記憶領域』を備え、前記第１の記憶領域は、『前記インク容器に関する情報を記憶』する、『記憶部』」である点で一致するといえる。
　
（オ）上記（ア）ないし（エ）によれば、本願補正発明１と引用発明２とは、
「印刷装置に装着されるインク容器であって、
　印刷用インクを収容するインク収容部と、
　少なくとも前記インク容器の累積されたインクの消費量の情報を読み書き可能且つ不揮発的に記憶する記憶部とを備えると共に、
　前記記憶部は読み出し専用情報を記憶するための第１の記憶領域と前記少なくとも前記インク収容部内の累積されたインクの消費量の情報を記憶するための第２の記憶領域とを備え、
　前記第２の記憶領域は、前記インク消費量の情報を記憶するインク量情報記憶領域を備え、
　前記第１の記憶領域は、前記インク容器に関する情報を記憶する
インク容器。」である点で一致し、次の点で相違する。
　
相違点２：
　本願補正発明１では、前記記憶部が「クロック信号に同期してシーケンシャルにアクセスされる」ようになっており、第２の記憶領域が第１の記憶領域よりも「先にアクセスされる位置に配置」されており、前記「インク量情報記憶領域」は「前記印刷装置によって最初に書き込みされる領域」であり、前記第１の記憶領域の記憶容量が前記「インク量情報記憶領域」の記憶容量よりも「大きな」ものであるのに対して、
　引用発明２では、前記記憶部のアクセス方式もアクセスの順番も、第１及び第２の記憶領域の記憶容量の大きさも明らかでない点。
　
　イ　判断
（ア）上記相違点２は上記（１）ア（カ）の相違点１の一部に相当しているので、上記（１）イの（ア）ないし（オ）に照らせば、引用発明２において、前記記憶部を、アドレスカウンタを備え、該アドレスカウンタのカウン値でアドレスが指定されて順次アクセスされるようになっているＥＥＰＲＯＭなどの不揮発性記憶装置の記憶部となし、該記憶部に記憶する「インク消費量の情報」を前記マイクロプロセッサ34により一旦ＲＡＭに書き込んでいき、定期的に、あるいは停電やコンセント抜けなどの電源異常の場合や間違って電源がＯＦＦされた場合に直ちに、上記不揮発性記憶装置の記憶部に書き込むようにし、かつ、定期的な書込処理における毎回のシーケンシャルアクセスに余計な時間がかかることがないようにして書込処理を効率的にするため、あるいは、停電やコンセント抜けなどの電源異常の場合や間違って電源がＯＦＦされた場合に直ちに行う書込処理を１００ｍｓないし３００ｍｓの間に完了できるようにするために、上記不揮発性記憶装置の記憶部の全領域を、より先にアクセスされかつアクセスに時間がかからない前方領域とアクセスに時間がかかる最後の方を含む後方領域とに区分したとき、前記前方領域の最初にアクセスされる位置に前記「インク量情報記憶領域」を設け、その他の定期的に書込処理が行われる情報等頻繁にアクセスされる情報や短時間で書込処理を完了しなければならない情報があれば、それらの情報の記憶領域を前記前方領域のその他の領域にアクセスに時間がかからない範囲で確保し、前記後方領域に、前記「インク容器に関する情報」などの、そうでもない情報の記録領域やそれ以外の情報の記憶領域を確保するようになすことは、当業者が周知技術１、周知技術２及び周知技術３に基づいて容易に想到することができた程度のことである。
　そして、上記「アドレスカウンタのカウン値でアドレスが指定されて順次アクセスされるようになっているＥＥＰＲＯＭなどの不揮発性記憶装置の記憶部」、「後方領域」及び「前方領域」が、それぞれ、本願補正発明１の「『クロック信号に同期してシーケンシャルにアクセス』される『読み書き可能且つ不揮発的に記憶する記憶部』」、「第１の記憶領域」及び「第２の記憶領域」に相当する。
　
（イ）そうすると、上記（１）イ（キ）と同様に、上記（ア）で検討した、引用発明２の「インク消費量の情報」やその他の定期的に書込処理が行われる情報や頻繁にアクセスされる情報や短時間で書込処理を完了しなければならない情報の量は、ＥＥＰＲＯＭなどの不揮発性記憶装置の記憶部の全領域の容量の２分の１に比べてもほんの小さい領域で記憶できる量にすぎないものと解され、これが仮に全領域の容量の２分の１と同じほどの領域でないと記憶できないような大量の情報であったとしたら、上記（ア）のとおり、前記前方領域に記憶するその他の情報をアクセスに時間がかからない範囲に絞ることになるとともに、上記「インク消費量の情報」を記憶するのに必要な記憶容量は、明らかに前記「第２の記憶領域（前方領域）」の記憶容量以下であるから、引用発明２において、上記（ア）のとおりになした結果、前記「インク容器（インクカートリッジ20）」は、本願補正発明１の「前記記憶部はクロック信号に同期してシーケンシャルにアクセスされると共に、読み出し専用情報を記憶するための第１の記憶領域とその第１の記憶領域よりも先にアクセスされる位置に配置され且つ前記少なくとも前記インク収容部内の累積されたインクの消費量の情報を記憶するための第２の記憶領域とを備え、前記第２の記憶領域は、前記印刷装置によって最初に書き込みされる領域に、前記インク消費量の情報を記憶するインク量情報記憶領域を備え、前記第１の記憶領域は、前記インク容器に関する情報を記憶すると共に前記第２の記憶領域が備えるインク量情報記憶領域の記憶容量よりも大きな記憶容量を有する」との構成を備えたものとなることが明らかである。
　
（ウ）したがって、引用発明２において、上記相違点２に係る本願補正発明１の構成となすことは、当業者が周知技術１、周知技術２及び周知技術３に基づいて容易に発明をすることができた程度のことである。
　
（エ）本願補正発明１の奏する効果は、引用発明２の奏する効果、周知技術１の奏する効果、周知技術２の奏する効果及び周知技術３の奏する効果から、当業者が予測できた程度のものである。
　
（オ）以上のとおりであるから、本願補正発明１は、当業者が引用例２に記載された発明、周知技術１、周知技術２及び周知技術３に基づいて容易に発明をすることができたものである。
　
（３）まとめ
　本願補正発明１は、上記（１）及び（２）のとおり、当業者が引用例１に記載された発明、引用例２に記載された発明、周知技術１、周知技術２及び周知技術３に基づいて容易に発明をすることができたものであるから、特許法第２９条第２項の規定により特許出願の際独立して特許を受けることができないものである。
　
５　本願補正発明２について
（１）引用発明１との対比・判断
　ア　対比
　本願補正発明２と引用発明１とを対比する。
（ア）引用発明１の「インク」、「インクジェットカラー印刷の印刷装置１０」、「印刷アッセンブリー１２」、「『印刷ヘッド』及び『インクジェット印刷ヘッド』」、「印刷媒体」、「記憶素子１４のメモリー」、「記憶素子１４」、「製造日、製造場所、ロット番号、シリアル番号、オリフィスのアライメント、インク色、動作周波数、インクの希釈度」、「『インク室２２に残っているインクの相対量を示すデータ』及び『インクの残存量を示すデータ』」、「与えられた印刷作業の間に印刷アッセンブリー１２によって消費されるインクの量に直接関係している、印刷アッセンブリー１２が印刷するよう命令されているインク滴の数」及び「インターフェース１８」は、それぞれ、本願補正発明２の「インク」、「『印刷装置本体』及び『インクジェット印刷装置』」、「インク容器」、「印刷ヘッド」、「媒体」、「記憶部」、「『記憶部』を備える『記憶手段』」、「『印刷装置本体からの読み出しのみが行なわれる読み出し専用データ』及び『インク容器に関する情報』」、「印刷装置本体との間で読み書きが行なわれる書き換えデータ」、「インク容器の累積されたインクの消費量の情報」及び「読み書きするデータを入出力する手段」に相当する。
　
（イ）引用発明１の「インクの相対量を示すデータ」は、まず製造過程でロードされてインクの全充填値に一致するように設定され、監視回路４２によって計測された数、すなわち「インク容器の累積されたインクの消費量の情報（印刷アッセンブリー１２が印刷するよう命令されているインク滴の数）」を用いることにより定期的に更新されるものであり、さらに、印刷装置１０が電源投入される都度「記憶部」から読みとられて揮発性メモリー４６にロードされ、以降、「インク容器」からのインクの噴出を反映して、揮発性メモリー４６の値は減少していき、この減少された値が「記憶部」に転送され、前の値が定期的に更新されるインクの残存量を示すデータであるから、引用発明１の「インクの相対量を示すデータ」は、「インクの残存量を示すデータ」であって、「インクの全充填値」から「インクの消費量の情報」を用いることによりインクの噴出を反映して減少され更新される値であるといえる。
　してみると、引用発明１の「インクの相対量を示すデータ」と本願補正発明２の「インク容器の累積されたインクの消費量の情報」とは「インク容器の累積されたインクの消費量に関係する情報」である点で一致するといえ、引用発明１の「記憶手段」と本願補正発明２の「前記記憶部として、前記インク容器の累積されたインクの消費量の情報を記憶するインク量情報記憶領域を備える記憶手段」とは、「前記記憶部として、インク容器の累積されたインクの消費量に関係する情報を記憶するインク量に関係する情報記憶領域を備え」る点で一致する。
　
（ウ）引用発明１の「インク容器（印刷アッセンブリー１２）」は、インク室２２を備え、「印刷装置本体（印刷装置１０）」から外し他の「印刷装置本体」に使用することができるものであるから、本願補正発明２の「インク容器」と、「インクを収容すると共に、印刷装置本体に着脱される」ものである点で一致する。
　
（エ）引用発明１の「印刷装置本体とを有するインクジェット印刷装置（インクジェットカラー印刷の印刷装置１０）」は、シアン、黄、マゼンタ、ときには黒色のインクの液滴を別個の「印刷ヘッド」から「媒体（印刷媒体）」に向けて制御自在に排出し、「印刷ヘッド」から発生したインクの液滴が他の「印刷ヘッド」から発生したインクの液滴と所望の位置関係をもって「媒体」に降下するようになっており、「インク容器（印刷アッセンブリー１２）」は、ハウジング２０を備えた「印刷ヘッド（インクジェット印刷ヘッド）」、インク室２２、インク室２２と流体を連通ずる複数のオリフィス２６を有するオリフィス板２４、及びインクをオリフィスから噴出させるための複数の噴射用抵抗２８を備えているから、本願補正発明２の「印刷装置本体とを有するインクジェット印刷装置」と、「該インク容器に収容されたインクを印刷ヘッドから媒体に向けて吐出して該媒体に対する印刷を行う」ものである点で一致する。
　
（オ）引用発明１において、「インク容器（印刷アッセンブリー１２）」は、その「印刷ヘッド（インクジェット印刷ヘッド）」が備えているハウジングに「記憶部を備える記憶手段（記憶素子１４）」が取りつけてあり、「印刷装置本体（印刷装置１０）」は、そのプリンター回路１６を「記憶部を備える記憶手段」に接続するインターフェース１８を備えているから、引用発明１の「インク容器」と本願補正発明２の「『記憶部および該記憶部と前記印刷装置本体との間で読み書きを行なう際にクロック信号に基づいてカウントアップあるいはカウントダウンを行なうアドレスカウンタとを備えるシーケンシャルアクセス形式の記憶手段とを有』する『インク容器』」とは「記憶部を備え、該記憶部と前記印刷装置本体との間で読み書きを行なう記憶手段とを有する」点で一致する。
　
（カ）引用発明１の「インクジェット印刷装置（印刷装置１０）」は、プリンター回路１６を「記憶手段（記憶素子１４）」に接続する「読み書きするデータを入出力する手段（インターフェース１８）」を備えているから、本願補正発明２の「インクジェット印刷装置」と、「読み書きするデータを入出力する手段を備える」点で一致する。
　
（キ）上記（ア）ないし（カ）によれば、本願補正発明２と引用発明１とは、
「インクを収容すると共に、印刷装置本体に着脱されるインク容器と、該インク容器に収容されたインクを印刷ヘッドから媒体に向けて吐出して該媒体に対する印刷を行う印刷装置本体とを有するインクジェット印刷装置であって、
　前記インク容器は、記憶部を備え、該記憶部と前記印刷装置本体との間で読み書きを行なう記憶手段とを有し、
　該記憶手段は、前記記憶部として、前記印刷装置本体からの読み出しのみが行なわれる読み出し専用データを記憶する領域と、前記印刷装置本体との間で読み書きが行なわれる書き換えデータを記憶する領域とを備え、前記インク容器の累積されたインクの消費量に関係する情報を記憶するインク量に関係する情報記憶領域を備え、前記インク容器に関する情報を記憶すると共に、
　前記インクジェット印刷装置は、読み書きするデータを入出力する手段を備えるインクジェット印刷装置。」である点で一致し、次の点で相違する。
　
相違点３：
　本願補正発明２では、前記記憶手段は「記憶部と印刷装置本体との間で読み書きを行なう際にクロック信号に基づいてカウントアップあるいはカウントダウンを行なうアドレスカウンタとを備えるシーケンシャルアクセス形式の」ものであり、前記読み書きするデータを入出力する手段は、「クロック信号に対応して」データを読み書きするものであり、前記読み出し専用データを記憶する領域を「第１の記憶領域」、前記書き換えデータを記憶する領域を「第２の記憶領域」とすると、第２の記憶領域はアクセス時に当該第１の記憶領域よりも先にアクセスされる領域であり、前記インク量に関係する情報記憶領域は、前記印刷装置本体によって最初に書き込みされる領域、かつ第２の記憶領域の領域に備えられ、前記第１の記憶領域は、前記イインク量に関係する情報記憶領域の記憶容量よりも大きな記憶容量を有し、さらに前記「インク容器の累積されたインクの消費量に関係する情報」及び「インク量に関係する情報記憶領域」はそれぞれ「インク容器の累積されたインクの消費量の情報」及び「インク量情報記憶領域」であるのに対して、
　引用発明１では、前記記憶部のアクセス方式もアクセスの順番も、第１の記憶領域やインク量に関係する情報記憶領域の記憶容量の大きさも明らかでなく、前記「インクの消費量に関係する情報」は「インクの全充填値からインクの消費量の情報を用いることによりインクの噴出を反映して減少され更新される値であるインクの残存量を示すデータ」であり、前記「インク量に関係する情報記憶領域」は「インクの相対量を示すデータを記録する領域」である点。
　
　イ　判断
　上記相違点３について検討する。
（ア）上記４（１）イ（ア）ないし（オ）からして、引用発明１において、前記記憶手段を、アドレスカウンタを備え、該アドレスカウンタのカウン値でアドレスが指定されて順次アクセスされるようになっているＥＥＰＲＯＭなどの不揮発性記憶装置となし、前記「記憶部」を該「記憶手段」の記憶部となし、該記憶部に記憶する「インクの消費量に関係する情報」を前記「消費されるインクの量に直接関係している、印刷アッセンブリー１２が印刷するよう命令されているインク滴の数のカウント値」となし、該「インク滴の数のカウント値」の情報を一旦前記「揮発性メモリー４６」に書き込んでいき、定期的に、あるいは停電やコンセント抜けなどの電源異常の場合や間違って電源がＯＦＦされた場合に直ちに、上記不揮発性記憶装置の記憶部に書き込むようにし、かつ、定期的な書込処理における毎回のシーケンシャルアクセスに余計な時間がかかることがないようにして書込処理を効率的にするため、あるいは、停電やコンセント抜けなどの電源異常の場合や間違って電源がＯＦＦされた場合に直ちに行う書込処理を１００ｍｓないし３００ｍｓの間に完了できるようにするために、上記不揮発性記憶装置の記憶部の全領域を、より先にアクセスされアクセスに時間がかからない前方領域とアクセスに時間がかかる最後の方を含む後方領域とに区分したとき、前記前方領域の最初にアクセスされる位置に前記「インク滴の数のカウント値の情報」の記憶領域を設け、その他の定期的に書込処理が行われる情報等頻繁にアクセスされる情報や短時間で書込処理を完了しなければならない情報があれば、それらの情報の記憶領域を前記前方領域のその他の領域にアクセスに時間がかからない範囲で確保し、前記後方領域に、前記「インク容器に関する情報（製造日、製造場所、ロット番号、シリアル番号、オリフィスのアライメント、印刷用インク色、動作周波数、印刷用インクの希釈度）」などの、そうでもない情報の記録領域やそれ以外の情報の記憶領域を確保するようになすことは、当業者が周知技術１、周知技術２及び周知技術３に基づいて容易に想到することができた程度のことである。
　そして、上記「アドレスカウンタのカウン値でアドレスが指定されて順次アクセスされるようになっているＥＥＰＲＯＭなどの不揮発性記憶装置」、「後方領域」、「前方領域」、「インク滴の数のカウント値の情報」及び「インク滴の数のカウント値の情報の記憶領域」が、それぞれ、本願補正発明２の「記憶部および該記憶部と前記印刷装置本体との間で読み書きを行なう際にクロック信号に基づいてカウントアップあるいはカウントダウンを行なうアドレスカウンタとを備えるシーケンシャルアクセス形式の記憶手段」、「第１の記憶領域」、「第２の記憶領域」、「インクの消費量の情報」及び「インク量情報記憶領域」に相当する。
　
（イ）上記（ア）で検討した、引用発明１の「インク滴の数のカウント値の情報」やその他の定期的に書込処理が行われる情報や頻繁にアクセスされる情報や短時間で書込処理を完了しなければならない情報の量は、ＥＥＰＲＯＭなどの不揮発性記憶装置の記憶部の全領域の容量の２分の１に比べてもほんの小さい領域で記憶できる量にすぎないものと解され、これが仮に全領域の容量の２分の１と同じほどの領域でないと記憶できないような大量の情報であったとしたら、上記（ア）のとおり、前記前方領域に記憶するその他の情報をアクセスに時間がかからない範囲に絞ることになるとともに、上記「インク滴の数のカウント値の情報」を記憶するのに必要な記憶容量は、明らかに前記「第２の記憶領域（前方領域）」の記憶容量以下であるから、引用発明１において、上記（ア）のとおりになした結果、前記「インク容器（印刷アッセンブリー１２）」は、本願補正発明２の「記憶部および該記憶部と前記印刷装置本体との間で読み書きを行なう際にクロック信号に基づいてカウントアップあるいはカウントダウンを行なうアドレスカウンタとを備えるシーケンシャルアクセス形式の記憶手段とを有し、該記憶手段は、前記記憶部として、前記印刷装置本体からの読み出しのみが行なわれる読み出し専用データを記憶する第１の記憶領域と、アクセス時に当該第１の記憶領域よりも先にアクセスされる領域において前記印刷装置本体との間で読み書きが行なわれる書き換えデータを記憶する第２の記憶領域とを備え、前記第２の記憶領域は、前記印刷装置本体によって最初に書き込みされる領域に、前記インク容器の累積されたインクの消費量の情報を記憶するインク量情報記憶領域を備え、前記第１の記憶領域は、前記インク容器に関する情報を記憶すると共に前記第２の記憶領域が備えるインク量情報記憶領域の記憶容量よりも大きな記憶容量を有し」との構成を備えたものとなるとともに、前記「インクジェット印刷装置（印刷装置１０）」は、本願補正発明２の「クロック信号に対応して読み書きするデータを入出力する手段を備える」との構成を備えたものとなる。
　
（ウ）したがって、引用発明１において、上記相違点３に係る本願補正発明２の構成となすことは、当業者が周知技術１、周知技術２及び周知技術３に基づいて容易に発明をすることができた程度のことである。
　
（エ）本願補正発明２の奏する効果は、引用発明１の奏する効果、周知技術１の奏する効果、周知技術２の奏する効果及び周知技術３の奏する効果から、当業者が予測できた程度のものである。
　
（オ）以上のとおりであるから、本願補正発明２は、当業者が引用例１に記載された発明、周知技術１、周知技術２及び周知技術３に基づいて容易に発明をすることができたものである。
　
（２）引用発明２との対比・判断
　ア　対比
　本願補正発明２と引用発明２とを対比する。
（ア）引用発明２の「インクジェットプリンタ」、「インク溜26」、「プリントヘッド12」、「シート紙」、「シート上で走査して一幅のインクをプリントする」、「カートリッジメモリ28」、「カートリッジメモリチップ」、「『製品タグ、インク源サイズ、カラーマップ係数、インク側色値、カラーコード、乾燥時間係数、プリンタドライバレビジョン番号、プリンタドライバレビジョンパラメータ、再注文部品番号、製造日、製造年、更新日、インク保存寿命、シリアル番号、プリントモード係数及びインクのガス放出率データ』を含む『カートリッジメモリ28の工場書込データ』」、「『粗カウント値、細密カウント値、最初の挿入日、最終使用日及び使用時間』を含む『カートリッジメモリ28のプリンタ記録データ』」、「インクカートリッジ20」、「プリントヘッド12から射出されたインクの量」、「『粗カウント値、細密カウント値』及び『累積射出インク滴数値76』」、「製品タグ、インク源サイズ、カラーマップ係数、インク側色値、カラーコード、乾燥時間係数、プリンタドライバレビジョン番号、プリンタドライバレビジョンパラメータ、再注文部品番号、製造日、製造年、更新日、インク保存寿命、シリアル番号、プリントモード係数及びインクのガス放出率データ」及び「電気接続部46」は、それぞれ、本願補正発明２の「『印刷装置本体』及び『インクジェット印刷装置』」、「インク容器に収容されたインク」、「印刷ヘッド」、「媒体」、「『インク』を『吐出』して媒体に対する印刷を行う」、「記憶部」、「記憶手段」、「印刷装置本体からの読み出しのみが行なわれる読み出し専用データ」、「印刷装置本体との間で読み書きが行なわれる書き換えデータ」、「インク容器」、「インクの消費量」、「インク容器の累積されたインクの消費量の情報」、「インク容器に関する情報」及び「読み書きするデータを入出力する手段」に相当する。
　
（イ）引用発明２の「インク容器（インクカートリッジ20）」は、「インク容器に収容されたインク（インク溜26）」を有しており、「印刷装置本体（インクジェットプリンタ）」のレセプタクルに差し込み可能なものであるから、本願補正発明２の「インク容器」と、「インクを収容すると共に、印刷装置本体に着脱される」点で一致する。
　
（ウ）引用発明２の「印刷装置本体（インクジェットプリンタ）」は、プリント動作が開始されると、「媒体（シート紙）」を供給し、次いでＵ字方向に出力トレー3へと送り、プリント領域4で停止させ、複数の取り外し可能な「印刷ヘッド（プリントヘッド6）」を有する走査キャリッジ5を走査して「インクを吐出して媒体に対する印刷を行う（シート上で走査して一幅のインクをプリントする）」プロセスを、「媒体」全体がプリントされるまで繰り返し、該プリントの完了時に、該「媒体」を出力トレー3へと排出するものであり、その「インクを吐出して媒体に対する印刷を行う」のに使用する「インク」は前記「インク容器に収容されたインク（インク溜26）」であることが明らかであるから、本願補正発明２の「印刷装置本体」と、「インク容器に収容されたインクを印刷ヘッドから媒体に向けて吐出して該媒体に対する印刷を行う」点で一致する。
　
（エ）引用発明２の「記憶手段（カートリッジメモリチップ）」は、その「メモリ」すなわち「記憶部（カートリッジメモリ28）」を有し、該「記憶部」及びプリントヘッドメモリ16からのデータの読み出し、両メモリにアクセスして得たデータに基づいて行ったパラメータの再計算に従ってプリンタ制御パラメータを調整する「プリント制御用手続35」に組み込まれた「インク滴使用量計算サブ手続70」により、前記「記憶部」上にエンコードされたインク供給量値56を読み出され、前記カートリッジメモリ28に再書き込みされるものであるから、本願補正発明２の「記憶部と前記印刷装置本体との間で読み書きを行なう際にクロック信号に基づいてカウントアップあるいはカウントダウンを行なうアドレスカウンタとを備えるシーケンシャルアクセス形式の記憶手段」と、「記憶部を備え、前記印刷装置本体との間で読み書きを行なう記憶手段」である点で一致し、引用発明２の「インク容器（インクカートリッジ20）」と本願補正発明２の「インク容器」とは、「記憶部を備え、前記印刷装置本体との間で読み書きを行なう記憶手段とを有」する点で一致するといえる。
　
（オ）引用発明２の「記憶部（カートリッジメモリ28）」には、工場で書き込まれる「印刷装置本体からの読み出しのみが行なわれる読み出し専用データ（工場書込データ）」及びプリンタにより記録されるプリンタ記録データの両方が格納され、前記「印刷装置本体からの読み出しのみが行なわれる読み出し専用データ」には、「インク容器に関する情報（製品タグ、インク源サイズ、カラーマップ係数、インク側色値、カラーコード、乾燥時間係数、プリンタドライバレビジョン番号、プリンタドライバレビジョンパラメータ、再注文部品番号、製造日、製造年、更新日、インク保存寿命、シリアル番号、プリントモード係数及びインクのガス放出率データ）」が含まれており、前記「記憶部」の「印刷装置本体との間で読み書きが行なわれる書き換えデータ（プリンタ記録データ）」には、「インク容器の累積されたインクの消費量の情報（粗カウント値、細密カウント値）」、最初の挿入日、最終使用日及び使用時間が含まれているから、引用発明２の「記憶部」と本願補正発明２の「『前記印刷装置本体からの読み出しのみが行なわれる読み出し専用データを記憶する第１の記憶領域』と、『アクセス時に当該第１の記憶領域よりも先にアクセスされる領域において前記印刷装置本体との間で読み書きが行なわれる書き換えデータを記憶する第２の記憶領域』とを備えた『記憶部』」とは、「『前記印刷装置本体からの読み出しのみが行なわれる読み出し専用データを記憶する第１の記憶領域』と、『前記印刷装置本体との間で読み書きが行なわれる書き換えデータを記憶する第２の記憶領域』とを備えた『記憶部』」である点で一致する。したがって、引用発明２の「記憶手段」と本願補正発明２の「記憶手段」とは、「前記記憶部として、前記印刷装置本体からの読み出しのみが行なわれる読み出し専用データを記憶する第１の記憶領域と、前記印刷装置本体との間で読み書きが行なわれる書き換えデータを記憶する第２の記憶領域とを備」え、かつ、「前記インク容器の累積されたインクの消費量の情報を記憶するインク量情報記憶領域を備」えた点で一致するといえる。
　
（カ）引用発明２の「インクジェット印刷装置（インクジェットプリンタ）」は、「読み書きするデータを入出力する手段（電気接続部46）」を有している「インク容器（インクカートリッジ20）」を有するものであるから、本願補正発明２の「インクジェット印刷装置」と、「読み書きするデータを入出力する手段を備える」点で一致する。
　
（キ）上記（ア）ないし（カ）によれば、本願補正発明２と引用発明２とは、
「インクを収容すると共に、印刷装置本体に着脱されるインク容器と、該インク容器に収容されたインクを印刷ヘッドから媒体に向けて吐出して該媒体に対する印刷を行う印刷装置本体とを有するインクジェット印刷装置であって、
　前記インク容器は、記憶部を備え、前記印刷装置本体との間で読み書きを行なう記憶手段とを有し、
　該記憶手段は、前記記憶部として、前記印刷装置本体からの読み出しのみが行なわれる読み出し専用データを記憶する第１の記憶領域と、前記印刷装置本体との間で読み書きが行なわれる書き換えデータを記憶する第２の記憶領域とを備え、前記インク容器の累積されたインクの消費量の情報を記憶するインク量情報記憶領域を備え、前記インク容器に関する情報を記憶すると共に、
　前記インクジェット印刷装置は、読み書きするデータを入出力する手段を備えるインクジェット印刷装置。」である点で一致し、次の点で相違する。
　
相違点４：
　本願補正発明２では、前記記憶手段が「クロック信号に基づいてカウントアップあるいはカウントダウンを行なうアドレスカウンタ」を備え、前記データを入出力する手段が「クロック信号に対応して」読み書きするものであり、前記第２の記憶領域は「アクセス時に当該第１の記憶領域よりも先にアクセスされる領域」であり、前記インク量情報記憶領域は「前記印刷装置本体によって最初に書き込みされる領域」であり、かつ「第２の記憶領域」の領域であり、前記第１の記憶領域は「前記第２の記憶領域が備えるインク量情報記憶領域の記憶容量よりも大きな記憶容量を有」しているのに対して、
　引用発明２では、前記記憶部のアクセス方式もアクセスの順番も、第１の記憶領域やインク量情報記憶領域の記憶容量の大きさも明らかでない点。
　
　イ　判断
　上記相違点４について検討する。
（ア）上記４（１）イ（ア）ないし（オ）からして、引用発明２において、前記記憶手段を、アドレスカウンタを備え、該アドレスカウンタのカウン値でアドレスが指定されて順次アクセスされるようになっているＥＥＰＲＯＭなどの不揮発性記憶装置となし、前記「記憶部」を該「記憶手段」の記憶部となし、該記憶部に記憶する前記「インク容器の累積されたインクの消費量の情報」を前記マイクロプロセッサ34により一旦ＲＡＭに書き込んでいき、定期的に、あるいは停電やコンセント抜けなどの電源異常の場合や間違って電源がＯＦＦされた場合に直ちに、上記不揮発性記憶装置の記憶部に書き込むようにし、かつ、定期的な書込処理における毎回のシーケンシャルアクセスに余計な時間がかかることがないようにして書込処理を効率的にするため、あるいは、停電やコンセント抜けなどの電源異常の場合や間違って電源がＯＦＦされた場合に直ちに行う書込処理を１００ｍｓないし３００ｍｓの間に完了できるようにするために、上記不揮発性記憶装置の記憶部の全領域を、より先にアクセスされアクセスに時間がかからない前方領域とアクセスに時間がかかる最後の方を含む後方領域とに区分したとき、前記前方領域の最初にアクセスされる位置に前記「インク量情報記憶領域」を設け、その他の定期的に書込処理が行われる情報等頻繁にアクセスされる情報や短時間で書込処理を完了しなければならない情報があれば、それらの情報の記憶領域を前記前方領域のその他の領域にアクセスに時間がかからない範囲で確保し、前記後方領域に、前記「インク容器に関する情報」などの、そうでもない情報の記録領域やそれ以外の情報の記憶領域を確保するようになすことは、当業者が周知技術１、周知技術２及び周知技術３に基づいて容易に想到することができた程度のことである。
　そして、上記「アドレスカウンタのカウン値でアドレスが指定されて順次アクセスされるようになっているＥＥＰＲＯＭなどの不揮発性記憶装置」、「後方領域」及び「前方領域」が、それぞれ、本願補正発明２の「記憶部および該記憶部と前記印刷装置本体との間で読み書きを行なう際にクロック信号に基づいてカウントアップあるいはカウントダウンを行なうアドレスカウンタとを備えるシーケンシャルアクセス形式の記憶手段」、「第１の記憶領域」及び「第２の記憶領域」に相当する。
　
（イ）上記（ア）で検討した、引用発明２の「インク容器の累積されたインクの消費量の情報」やその他の定期的に書込処理が行われる情報や頻繁にアクセスされる情報や短時間で書込処理を完了しなければならない情報の量は、ＥＥＰＲＯＭなどの不揮発性記憶装置の記憶部の全領域の容量の２分の１に比べてもほんの小さい領域で記憶できる量にすぎないものと解され、これが仮に全領域の容量の２分の１と同じほどの領域でないと記憶できないような大量の情報であったとしたら、上記（ア）のとおり、前記前方領域に記憶するその他の情報をアクセスに時間がかからない範囲に絞ることになるとともに、上記「インク量情報記憶領域」の必要な記憶容量は、明らかに前記「第２の記憶領域（前方領域）」の記憶容量以下であるから、引用発明２において、上記（ア）のとおりになした結果、前記「インク容器（インクカートリッジ20）」は、本願補正発明２の「記憶部および該記憶部と前記印刷装置本体との間で読み書きを行なう際にクロック信号に基づいてカウントアップあるいはカウントダウンを行なうアドレスカウンタとを備えるシーケンシャルアクセス形式の記憶手段とを有し、該記憶手段は、前記記憶部として、前記印刷装置本体からの読み出しのみが行なわれる読み出し専用データを記憶する第１の記憶領域と、アクセス時に当該第１の記憶領域よりも先にアクセスされる領域において前記印刷装置本体との間で読み書きが行なわれる書き換えデータを記憶する第２の記憶領域とを備え、前記第２の記憶領域は、前記印刷装置本体によって最初に書き込みされる領域に、前記インク容器の累積されたインクの消費量の情報を記憶するインク量情報記憶領域を備え、
　前記第１の記憶領域は、前記インク容器に関する情報を記憶すると共に前記第２の記憶領域が備えるインク量情報記憶領域の記憶容量よりも大きな記憶容量を有し」との構成を備えたものとなるとともに、前記「インクジェット印刷装置（インクジェットプリンタ）」は、本願補正発明２の「クロック信号に対応して読み書きするデータを入出力する手段を備える」との構成を備えたものとなる。
　
（ウ）したがって、引用発明２において、上記相違点４に係る本願補正発明２の構成となすことは、当業者が周知技術１、周知技術２及び周知技術３に基づいて容易に発明をすることができた程度のことである。
　
（エ）本願補正発明２の奏する効果は、引用発明２の奏する効果、周知技術１の奏する効果、周知技術２の奏する効果及び周知技術３の奏する効果から、当業者が予測できた程度のものである。
　
（オ）以上のとおりであるから、本願補正発明２は、当業者が引用例２に記載された発明、周知技術１、周知技術２及び周知技術３に基づいて容易に発明をすることができたものである。
　
（３）まとめ
　本願補正発明２は、上記（１）及び（２）のとおり、当業者が引用例１に記載された発明、引用例２に記載された発明、周知技術１、周知技術２及び周知技術３に基づいて容易に発明をすることができたものであるから、特許法第２９条第２項の規定により特許出願の際独立して特許を受けることができないものである。
　
６　本願補正発明３について
（１）引用発明１との対比・判断
　ア　対比
　本願補正発明３と引用発明１とを対比する。
（ア）引用発明１の「印刷装置１０」、「印刷アッセンブリー１２」、「記憶素子１４」、「『インク室２２に残っているインクの相対量を示すデータインクの相対量を示すデータ』及び『インクの残存量を示すデータ』」、「ＥＥＰＲＯＭなどの半導体メモリー」、「与えられた印刷作業の間に印刷アッセンブリー１２によって消費されるインクの量直接関係している、印刷アッセンブリー１２が印刷するよう命令されているインク滴の数」及び「印刷アッセンブリー１２に関するデータ、すなわち、製造日、製造場所、ロット番号、シリアル番号等の印刷アッセンブリー１２の本性を特性化する情報、あるいはオリフィスのアライメント、インク色、動作周波数、インクの希釈度等の印刷アッセンブリー１２のある種の動作特性を特性化する情報」は、それぞれ、本願補正発明３の「印刷装置」、「インク容器」、「記憶装置」、「複数の所定情報」、「読み書き可能にかつ不揮発的に記憶する複数の記憶領域を有する記憶部」、「インク容器の累積されたインクの消費量」及び「『読み出し専用情報』及び『インク容器に関する情報』」に相当する。
　
（イ）引用発明１において、「記憶装置（記憶素子１４）」は、「印刷装置（印刷装置１０）」が備えている各「インク容器（印刷アッセンブリー）」に付随するものであり、「インク容器（印刷アッセンブリー１２）」は、「印刷装置」から外し他の「印刷装置」に使用するものであり、前記「記憶装置」は、「読み書き可能にかつ不揮発的に記憶する複数の記憶領域を有する記憶部（ＥＥＰＲＯＭなどの半導体メモリー）」によって構成され、「複数の所定情報（インク室２２に残っているインクの相対量を示すデータ）」をもっており、かつ「複数の所定情報（各インクの残存量を示すデータ）」を書くことができるものであるから、引用発明１の「記憶装置」と本願補正発明３の「記憶装置」とは、「印刷装置に装着されるインク容器に備えられる」ものである点及び「複数の所定情報を読み書き可能にかつ不揮発的に記憶する複数の記憶領域を有する」点で一致する。
　
（ウ）上記４（１）ア（オ）からみて、引用発明１の「インクの相対量を示すデータ」は、「インクの残存量を示すデータ」であって、「インクの全充填値」から監視回路４２によって計測された数である「インク容器の累積されたインクの消費量（与えられた印刷作業の間に印刷アッセンブリー１２によって消費されるインクの量直接関係している、印刷アッセンブリー１２が印刷するよう命令されているインク滴の数）」を用いることによりインクの噴出を反映して減少され更新される値であるといえる。
　してみると、引用発明１の「インク室２２に残っているインクの相対量を示すデータ」と本願補正発明３の「インク容器の累積されたインクの消費量の情報」とは「インク容器の累積されたインクの消費量に関係する情報」である点で一致するといえ、引用発明１の「記憶部」と本願補正発明３の「『インク容器の累積されたインクの消費量の情報を記憶するインク量情報記憶領域を備』えた『記憶部』」とは、「インク容器の累積されたインクの消費量に関係する情報を記憶するインク量に関係する情報記憶領域を備えた記憶部」である点で一致する。
　したがって、引用発明１の「記憶部」と本願補正発明３の「記憶部」とは、「読み出し専用情報を記憶するための第１の記憶領域と、複数の所定情報を記憶するための第２の記憶領域とを備え、かつ前記インク容器の累積されたインクの消費量に関係する情報を記憶するインク量に関係する情報記憶領域を備え、前記第１の記憶領域は、前記インク容器に関する情報を記憶する」ものである点で一致するといえる。
　
（エ）上記（ア）ないし（ウ）によれば、本願補正発明３と引用発明１とは、
「印刷装置に装着されるインク容器に備えられる記憶装置であって、
　複数の所定情報を読み書き可能にかつ不揮発的に記憶する複数の記憶領域を有する記憶部を備え、
　前記記憶部は読み出し専用情報を記憶するための第１の記憶領域と、前記複数の所定情報を記憶するための第２の記憶領域とを備え、
　前記インク容器の累積されたインクの消費量に関係する情報を記憶するインク量に関係する情報記憶領域を備え、
　前記第１の記憶領域は、前記インク容器に関する情報を記憶する
インク容器に備えられる記憶装置。」である点で一致し、次の点で相違する。
　
相違点５：
　本願補正発明３では、前記「記憶装置」は「前記印刷装置から出力されるクロック信号に基づきカウント値を出力するアドレスカウンタ」も備えており、前記「記憶部」は「出力された前記カウント値に基づいてシーケンシャルにアクセスされる」ものであり、前記「第２の記憶領域」は「前記カウント値に基づいてその第１の記憶領域よりも先にアクセスされる位置に配置」されており、前記「インク量に関係する情報記憶領域」は、「前記アドレスカウンタの出力値により先にアクセスされるアドレスに配置される」第２の記憶領域の領域であり、かつ「前記印刷装置によって最初に書き込みされる領域」であり、さらに、前記「第１の記憶領域」は「インク量に関係する情報記憶領域の記憶容量よりも大きな記憶容量」を有し、また、前記「インクの消費量に関係する情報」及び「インク量に関係する情報記憶領域」は、それぞれ「インクの消費量の情報」及び「インク量情報記憶領域」であるのに対して、
　引用発明１では、前記記憶部のアクセス方式もアクセスの順番も、第１の記憶領域やインク量に関係する情報記憶領域の記憶容量の大きさも明らかでなく、前記「インクの消費量に関係する情報」は「インクの全充填値からインク容器の累積されたインクの消費量の情報を用いることによりインクの噴出を反映して減少され更新される値であるインクの残存量を示すデータであるインクの相対量を示すデータ」であり、前記「インク量に関係する情報記憶領域」は「インクの相対量を示すデータを記録する領域」である点。
　
　イ　判断
　上記相違点５について検討する。
（ア）上記４（１）イの（ア）ないし（オ）からして、引用発明１において、前記記憶装置を、アドレスカウンタを備え、該アドレスカウンタのカウン値でアドレスが指定されて順次アクセスされるようになっているＥＥＰＲＯＭなどの不揮発性記憶装置とし、前記記憶部をその記憶部となし、該記憶部に記憶する「インクの消費量に関係する情報」を前記「消費されるインクの量に直接関係している、印刷アッセンブリー１２が印刷するよう命令されているインク滴の数のカウント値」となし、該「インク滴の数のカウント値」の情報を一旦前記「揮発性メモリー４６」に書き込んでいき、定期的に、あるいは停電やコンセント抜けなどの電源異常の場合や間違って電源がＯＦＦされた場合に直ちに、上記不揮発性記憶装置の記憶部に書き込むようにし、かつ、定期的な書込処理における毎回のシーケンシャルアクセスに余計な時間がかかることがないようにして書込処理を効率的にするため、あるいは、停電やコンセント抜けなどの電源異常の場合や間違って電源がＯＦＦされた場合に直ちに行う書込処理を１００ｍｓないし３００ｍｓの間に完了できるようにするために、上記不揮発性記憶装置の記憶部の全領域を、より先にアクセスされアクセスに時間がかからない前方領域とアクセスに時間がかかる最後の方を含む後方領域とに区分したとき、前記前方領域の最初にアクセスされる位置に前記「インク滴の数のカウント値の情報」の記憶領域を設け、その他の定期的に書込処理が行われる情報等頻繁にアクセスされる情報や短時間で書込処理を完了しなければならない情報があれば、それらの情報の記憶領域を前記前方領域のその他の領域にアクセスに時間がかからない範囲で確保し、前記後方領域に、前記「インク容器に関する情報（製造日、製造場所、ロット番号、シリアル番号、オリフィスのアライメント、印刷用インク色、動作周波数、印刷用インクの希釈度）」などの、そうでもない情報の記録領域やそれ以外の情報の記憶領域を確保するようになすことは、当業者が周知技術１、周知技術２及び周知技術３に基づいて容易に想到することができた程度のことである。
　そして、上記「アドレスカウンタのカウン値でアドレスが指定されて順次アクセスされるようになっているＥＥＰＲＯＭなどの不揮発性記憶装置」、その「記憶部」、「後方領域」、「前方領域」、「インク滴の数のカウント値の情報」及び「インク滴の数のカウント値の情報の記憶領域」が、それぞれ、本願補正発明１の「印刷装置に装着されるインク容器に備えられる記憶装置」、「『クロック信号に同期してシーケンシャルにアクセス』される『読み書き可能且つ不揮発的に記憶する記憶部』」、「第１の記憶領域」、「第２の記憶領域」、「インクの消費量の情報」及び「インク量情報記憶領域」に相当する。
　
（イ）上記（ア）で検討した、引用発明１の「インク滴の数のカウント値の情報」やその他の定期的に書込処理が行われる情報や頻繁にアクセスされる情報や短時間で書込処理を完了しなければならない情報の量は、ＥＥＰＲＯＭなどの不揮発性記憶装置の記憶部の全領域の容量の２分の１に比べてもほんの小さい領域で記憶できる量にすぎないものと解され、これが仮に全領域の容量の２分の１と同じほどの領域でないと記憶できないような大量の情報であったとしたら、上記（ア）のとおり、前記前方領域に記憶するその他の情報をアクセスに時間がかからない範囲に絞ることになるとともに、上記「インク滴の数のカウント値の情報」を記憶するのに必要な記憶容量は、明らかに前記「第２の記憶領域（前方領域）」の記憶容量以下であるから、引用発明１において、上記（ア）のとおりになした結果、前記「印刷装置に装着されるインク容器に備えられる記憶装置」は、本願補正発明３の「前記印刷装置から出力されるクロック信号に基づきカウント値を出力するアドレスカウンタと、出力された前記カウント値に基づいてシーケンシャルにアクセスされると共に複数の所定情報を読み書き可能にかつ不揮発的に記憶する複数の記憶領域を有する記憶部とを備え、前記記憶部は読み出し専用情報を記憶するための第１の記憶領域と前記カウント値に基づいてその第１の記憶領域よりも先にアクセスされる位置に配置され且つ前記複数の所定情報を記憶するための第２の記憶領域とを備え、前記第２の記憶領域は、前記アドレスカウンタの出力値により先にアクセスされるアドレスに配置される領域であり、かつ前記印刷装置によって最初に書き込みされる領域に、前記インク容器の累積されたインクの消費量の情報を記憶するインク量情報記憶領域を備え、前記第１の記憶領域は、前記インク容器に関する情報を記憶すると共に前記第２の記憶領域が備えるインク量情報記憶領域の記憶容量よりも大きな記憶容量を有する」との構成を備えたものとなる。
　
（ウ）したがって、引用発明１において、上記相違点５に係る本願補正発明３の構成となすことは、当業者が周知技術１、周知技術２及び周知技術３に基づいて容易に発明をすることができた程度のことである。
　
（エ）本願補正発明３の奏する効果は、引用発明１の奏する効果、周知技術１の奏する効果、周知技術２の奏する効果及び周知技術３の奏する効果から、当業者が予測できた程度のものである。
　
（オ）以上のとおりであるから、本願補正発明３は、当業者が引用例１に記載された発明、周知技術１、周知技術２及び周知技術３に基づいて容易に発明をすることができたものである。
　
（２）引用発明２との対比・判断
　ア　対比
　本願補正発明３と引用発明２とを対比する。
（ア）引用発明２の「インクジェットプリンタ」、「インクカートリッジ20」、「カートリッジメモリチップ」、「累積射出インク滴数値76」、「EEPROMなどのカートリッジメモリチップのメモリすなわちカートリッジメモリ28」、「射出されたインク滴の累積数」及び「『製品タグ、インク源サイズ、カラーマップ係数、インク側色値、カラーコード、乾燥時間係数、プリンタドライバレビジョン番号、プリンタドライバレビジョンパラメータ、再注文部品番号、製造日、製造年、更新日、インク保存寿命、シリアル番号、プリントモード係数及びインクのガス放出率データ』が含まれる『カートリッジメモリ28の工場書込データ』」は、それぞれ、本願補正発明３の「印刷装置」、「インク容器」、「記憶装置」、「『複数の所定情報』及び『インク容器の累積されたインクの消費量の情報』」、「読み書き可能にかつ不揮発的に記憶する複数の記憶領域を有する記憶部」、「インク容器の累積されたインクの消費量」及び「『読み出し専用情報』及び『インク容器に関する情報』」に相当する。
　
（イ）引用発明２の「記憶装置（カートリッジメモリチップ）」は、「印刷装置（インクジェットプリンタ）」のレセプタクルに差し込み可能な「インク容器（インクカートリッジ20）」が有しているものであるから、本願補正発明３の「記憶装置」と、「印刷装置に装着されるインク容器に備えられる」ものである点で一致する。
　
（ウ）引用発明２の「読み書き可能にかつ不揮発的に記憶する複数の記憶領域を有する記憶部（EEPROMなどのカートリッジメモリチップのメモリすなわちカートリッジメモリ28）」には、「複数の所定情報（累積射出インク滴数値76）」が再書き込みされるから、引用発明２の「記憶部」と本願補正発明３の「記憶部」とは「複数の所定情報を読み書き可能にかつ不揮発的に記憶する複数の記憶領域を有する」点で一致する。
　
（エ）引用発明２において、前記プリントヘッドメモリ16及び「記憶部（カートリッジメモリ28）」には、それぞれ、「読み出し専用情報（工場で書き込まれる工場書込データ）」及び「印刷装置（プリンタ）」により記録されるプリンタ記録データの両方が格納され、前記「記憶部」の「読み出し専用情報」には、「インク容器に関する情報（製品タグ、インク源サイズ、カラーマップ係数、インク側色値、カラーコード、乾燥時間係数、プリンタドライバレビジョン番号、プリンタドライバレビジョンパラメータ、再注文部品番号、製造日、製造年、更新日、インク保存寿命、シリアル番号、プリントモード係数及びインクのガス放出率データ）」が含まれており、前記「記憶部」のプリンタ記録データには、粗カウント値、細密カウント値、最初の挿入日、最終使用日及び使用時間が含まれており、前記細密カウント値52は、例えば８ビットの書き換え可能な値であり、その各ビットは、インクカートリッジ20の総供給量の12.5％の1/256に相当し、前記粗カウント値60は、前記「インク容器（インクカートリッジ20）」内の「インク」の12.5％が消費されるたびに、すなわち細密カウント値52が一巡するたびにインクリメントされ、前記細密カウント値52とともに前記「インク容器」内のインク残量の判定に用いられ、前記プリント制御用手続35に組み込まれたインク滴使用量計算サブ手続70は、前記プリントヘッドメモリ16及び前記「記憶部」の両方からのデータを使用し、前記プリントヘッドメモリ16上にエンコードされたインク滴量パラメータ54と前記「記憶部」上にエンコードされたインク供給量値56との両方を読み出し、次いで、細密カウントを１ビットフリップさせるのに必要なインク滴の数、即ち、総インク供給量の12.5％の1/256に等しい量を計算し、次いで、加熱抵抗器に供給される入力信号、すなわち射出されたインク滴の累積数を示す入力信号をカウントすることによって、前記細密カウント値52をインクリメントさせるときを知り、前記細密カウントビット値をフリップさせて細密カウント値52が現在のインク使用状態を反映するようにインクリメントし、該細密カウント値の一巡が検出された場合に前記粗カウント値60もインクリメントし、これらの計算をプリント実行時に行ない、前記細密カウント値52及び前記粗カウント値60を、「インク容器の累積されたインクの消費量（前記プリントヘッド12から射出されたインクの量）」を反映するようにインクリメントして新たな細密カウント値52及び粗カウント値60を求めると、かかる値を「インク容器の累積されたインクの消費量の情報（累積射出インク滴数値76）」として累積し前記「記憶部」に再書き込みするようになっているから、引用発明２の「記憶部」と本願補正発明３の「『前記印刷装置から出力されるクロック信号に基づきカウント値を出力するアドレスカウンタと、出力された前記カウント値に基づいてシーケンシャルにアクセスされると共に複数の所定情報を読み書き可能にかつ不揮発的に記憶する複数の記憶領域を有』し、『読み出し専用情報を記憶するための第１の記憶領域と前記カウント値に基づいてその第１の記憶領域よりも先にアクセスされる位置に配置され且つ前記複数の所定情報を記憶するための第２の記憶領域とを備え、前記第２の記���領域は、前記アドレスカウンタの出力値により先にアクセスされるアドレスに配置される領域であり、かつ前記印刷装置によって最初に書き込みされる領域に、前記インク容器の累積されたインクの消費量の情報を記憶するインク量情報記憶領域を備え、前記第１の記憶領域は、前記インク容器に関する情報を記憶すると共に前記第２の記憶領域が備えるインク量情報記憶領域の記憶容量よりも大きな記憶容量を有』する、『記憶部』」とは、「『複数の所定情報を読み書き可能にかつ不揮発的に記憶する複数の記憶領域を有』し、『読み出し専用情報を記憶するための第１の記憶領域と前記複数の所定情報を記憶するための第２の記憶領域とを備え、前記インク容器の累積されたインクの消費量の情報を記憶するインク量情報記憶領域を備え、前記第１の記憶領域は、前記インク容器に関する情報を記憶』する、『記憶部』」である点で一致するといえる。
　
（オ）上記（ア）ないし（エ）によれば、本願補正発明３と引用発明２とは、
「印刷装置に装着されるインク容器に備えられる記憶装置であって、
　複数の所定情報を読み書き可能にかつ不揮発的に記憶する複数の記憶領域を有する記憶部とを備え、
　前記記憶部は読み出し専用情報を記憶するための第１の記憶領域と前記複数の所定情報を記憶するための第２の記憶領域とを備え、
　前記インク容器の累積されたインクの消費量の情報を記憶するインク量情報記憶領域を備え、
　前記第１の記憶領域は、前記インク容器に関する情報を記憶する
インク容器に備えられる記憶装置。」である点で一致し、次の点で相違する。
　
相違点６：
　本願補正発明３では、前記記憶部が、「前記印刷装置から出力されるクロック信号に基づきカウント値を出力するアドレスカウンタ」を備え、「出力された前記カウント値に基づいてシーケンシャルにアクセスされ」るものであり、前記「第２の記憶領域」は、「前記カウント値に基づいてその第１の記憶領域よりも先にアクセスされる位置に配置」されており、前記「インク量情報記憶領域」は、前記「第２の記憶領域の領域」であり、「前記アドレスカウンタの出力値により先にアクセスされるアドレスに配置される領域」であり、かつ「前記印刷装置によって最初に書き込みされる領域」であり、前記「第１の記憶領域」は、前記「インク量情報記憶領域」の記憶容量よりも「大きな記憶容量を有」しているのに対して、
　引用発明２では、前記記憶部のアクセス方式もアクセスの順番も、第１の記憶領域やインク量情報記憶領域の記憶容量の大きさも明らかでない点。
　
　イ　判断
　上記相違点６について検討する。
（ア）上記４（１）イ（ア）ないし（オ）からして、引用発明２において、前記「印刷装置に装着されるインク容器に備えられる記憶装置」を、アドレスカウンタを備え、該アドレスカウンタのカウン値でアドレスが指定されて順次アクセスされるようになっているＥＥＰＲＯＭなどの不揮発性記憶装置となし、前記「記憶部」を該「不揮発性記憶装置」の記憶部となし、該記憶部に記憶する前記「インク容器の累積されたインクの消費量の情報」を前記マイクロプロセッサ34により一旦ＲＡＭに書き込んでいき、定期的に、あるいは停電やコンセント抜けなどの電源異常の場合や間違って電源がＯＦＦされた場合に直ちに、上記不揮発性記憶装置の記憶部に書き込むようにし、かつ、定期的な書込処理における毎回のシーケンシャルアクセスに余計な時間がかかることがないようにして書込処理を効率的にするため、あるいは、停電やコンセント抜けなどの電源異常の場合や間違って電源がＯＦＦされた場合に直ちに行う書込処理を１００ｍｓないし３００ｍｓの間に完了できるようにするために、上記不揮発性記憶装置の記憶部の全領域を、より先にアクセスされアクセスに時間がかからない前方領域とアクセスに時間がかかる最後の方を含む後方領域とに区分したとき、前記前方領域の最初にアクセスされる位置に前記「インク量情報記憶領域」を設け、その他の定期的に書込処理が行われる情報等頻繁にアクセスされる情報や短時間で書込処理を完了しなければならない情報があれば、それらの情報の記憶領域を前記前方領域のその他の領域にアクセスに時間がかからない範囲で確保し、前記後方領域に、前記「インク容器に関する情報」などの、そうでもない情報の記録領域やそれ以外の情報の記憶領域を確保するようになすことは、当業者が周知技術１、周知技術２及び周知技術３に基づいて容易に想到することができた程度のことである。
　そして、上記「アドレスカウンタ」、「アドレスカウンタのカウン値でアドレスが指定されて順次アクセスされるようになっているＥＥＰＲＯＭなどの不揮発性記憶装置の記憶部」、「後方領域」及び「前方領域」が、それぞれ、本願補正発明３の「印刷装置から出力されるクロック信号に基づきカウント値を出力するアドレスカウンタ」、「出力された前記カウント値に基づいてシーケンシャルにアクセスされると共に複数の所定情報を読み書き可能にかつ不揮発的に記憶する複数の記憶領域を有する記憶部」、「第１の記憶領域」及び「第２の記憶領域」に相当する。
　
（イ）上記（ア）で検討した、引用発明２の「インク容器の累積されたインクの消費量の情報」やその他の定期的に書込処理が行われる情報や頻繁にアクセスされる情報や短時間で書込処理を完了しなければならない情報の量は、ＥＥＰＲＯＭなどの不揮発性記憶装置の記憶部の全領域の容量の２分の１に比べてもほんの小さい領域で記憶できる量にすぎないものと解され、これが仮に全領域の容量の２分の１と同じほどの領域でないと記憶できないような大量の情報であったとしたら、上記（ア）のとおり、前記前方領域に記憶するその他の情報をアクセスに時間がかからない範囲に絞ることになるとともに、上記「インク量情報記憶領域」の必要な記憶容量は、明らかに前記「第２の記憶領域（前方領域）」の記憶容量以下であるから、引用発明２において、上記（ア）のとおりになした結果、前記「印刷装置に装着されるインク容器に備えられる記憶装置」は、「アドレスカウンタを備え、該アドレスカウンタのカウン値でアドレスが指定されて順次アクセスされるようになっているＥＥＰＲＯＭなどの不揮発性記憶装置」であって、本願補正発明３の「前記印刷装置から出力されるクロック信号に基づきカウント値を出力するアドレスカウンタと、出力された前記カウント値に基づいてシーケンシャルにアクセスされると共に複数の所定情報を読み書き可能にかつ不揮発的に記憶する複数の記憶領域を有する記憶部とを備え、前記記憶部は読み出し専用情報を記憶するための第１の記憶領域と前記カウント値に基づいてその第１の記憶領域よりも先にアクセスされる位置に配置され且つ前記複数の所定情報を記憶するための第２の記憶領域とを備え、前記第２の記憶領域は、前記アドレスカウンタの出力値により先にアクセスされるアドレスに配置される領域であり、かつ前記印刷装置によって最初に書き込みされる領域に、前記インク容器の累積されたインクの消費量の情報を記憶するインク量情報記憶領域を備え、前記第１の記憶領域は、前記インク容器に関する情報を記憶すると共に前記第２の記憶領域が備えるインク量情報記憶領域の記憶容量よりも大きな記憶容量を有する」との構成を備えたものとなる。
　
（ウ）したがって、引用発明２において、上記相違点６に係る本願補正発明３の構成となすことは、当業者が周知技術１、周知技術２及び周知技術３に基づいて容易に発明をすることができた程度のことである。
　
（エ）本願補正発明３の奏する効果は、引用発明２の奏する効果、周知技術１の奏する効果、周知技術２の奏する効果及び周知技術３の奏する効果から、当業者が予測できた程度のものである。
　
（オ）以上のとおりであるから、本願補正発明３は、当業者が引用例２に記載された発明、周知技術１、周知技術２及び周知技術３に基づいて容易に発明をすることができたものである。
　
（３）まとめ
　本願補正発明３は、上記（１）及び（２）のとおり、当業者が引用例１に記載された発明、引用例２に記載された発明、周知技術１、周知技術２及び周知技術３に基づいて容易に発明をすることができたものであるから、特許法第２９条第２項の規定により特許出願の際独立して特許を受けることができないものである。
　
７　小括
　上記４ないし６のとおり、本願補正発明１ないし３は、いずれも、当業者が引用例１に記載された発明、引用例２に記載された発明及び周知技術に基づいて容易に発明をすることができたものであるから、特許出願の際独立して特許を受けることができないものである。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　本件補正は上記のとおり却下されたので、請求項１に係る発明（以下「本願発明１」という。）及び請求項２３に係る発明（以下「本願発明２」という。）は、平成２０年９月１２日付け手続補正により補正された明細書及び図面の記載からみて、その特許請求の範囲の請求項１及び２３に記載されたとおりの上記「第２〔理由〕１（１）」に本件補正前の請求項１及び請求項２３としてそれぞれ記載したものであり、請求項３１に係る発明（以下「本願発明３」という。）は、平成２０年９月１２日付け手続補正により補正された明細書及び図面の記載からみて、その特許請求の範囲の請求項３１に記載された上記「第２〔理由〕１（１）」に本件補正前の請求項３１として示したものを上記「第２〔理由〕１（２）ウ（ア）」のとおり誤記を訂正した次のものであると認める。
　
「　【請求項３１】　印刷装置に装着されるインク容器に備えられる記憶装置であって、
　前記印刷装置から出力されるクロック信号に基づきカウント値を出力するアドレスカウンタと、
　出力された前記カウント値に基づいてシーケンシャルにアクセスされると共に複数の所定情報を読み書き可能にかつ不揮発的に記憶する複数の記憶領域を有する
記憶部
　前記
記憶部
　前記第２の記憶領域は、前記印刷装置によって最初に書き込みされる領域に
、イ
　前記第１の記憶領域は、前記インク容器に関する情報を記憶すると共に前記第２の記憶領域が備えるインク量情報記憶領域の記憶容量よりも大きな記憶容量を有する
インク容器に備えられる記憶装置。」
　
２　引用例
　原査定の拒絶の理由に引用された引用例１及び２並びにそれらの記載事項は、前記「第２〔理由〕３」に記載したとおりである。
　
３　対比・判断　
　上記「第２〔理由〕２」で述べたとおり、本願補正発明１、２及び３は、それぞれ、本願発明１、２及び３を特定するために必要な事項について限定を付加したものに相当する。
　そうすると、本願発明１、２及び３それぞれの構成要件をすべて含み、さらに限定を付加したものに相当する本願補正発明１、２及び３が、前記「第２〔理由〕４〜６」に記載したとおり、いずれも、当業者が引用例１に記載された発明、引用例２に記載された発明及び周知技術に基づいて容易に発明をすることができたものであるから、本願発明１、２及び３も同様の理由により、当業者が引用例１に記載された発明、引用例２に記載された発明及び周知技術に基づいて容易に発明をすることができたものである。
　
４　むすび
　本願発明１、２及び３は、いずれも、当業者が引用例１に記載された発明、引用例２に記載された発明及び周知技術に基づいて容易に発明をすることができたものであるから、特許法第２９条第２項の規定により特許を受けることができない。
　よって、結論のとおり審決する。